(57)【要約】【課題】本発明は、帯体部と該帯体部に固定される吸収本体部とを備えた動物用吸収性物品であって、前記吸収本体部が前記帯体部からズレたり、外れたりしにくい動物用吸収性物品を提供する。【解決手段】本発明の動物用吸収性物品は、帯体部（１）と、吸収本体部（１０）とを備えており、前記吸収本体部（１０）は、展開した状態の平面視にて、長手方向及び幅方向を有する縦長の形状を有するとともに、装着時に動物の肌面に対向する内表面と、該内表面の反対側の面となる外表面と、を有し、さらに、前記長手方向の両端に位置する背部側端部（ＥL4）及び腹部側端部（ＥL3）のうちの少なくとも一方の端部が、動物の前後方向における後方側から前記帯体部（１）の胴体対向面側又は前記帯体部（１）の内部に挿入されて前記帯体部（１）の胴体対向面又は前記内部の表面と係合する吸収本体部側係合部を、前記内表面及び前記外表面のうちの少なくとも一方の面に備えている。【選択図】図１
2018088855.tif 000002
【特許請求の範囲】
【請求項１】
動物の胴周りに沿って着脱自在に装着され、装着時に動物の胴体に対向する胴体対向面及び該胴体対向面の反対側に位置する胴体非対向面を有する帯体部と、動物の背部、股下部及び腹部に沿って配置され、前記動物の背部側に位置する背部側端部及び前記動物の腹部側に位置する腹部側端部のうちの少なくとも一方の端部が前記帯体部に対して着脱自在に係合固定される吸収本体部と、を備えた動物用吸収性物品であって、
前記吸収本体部は、展開した状態の平面視にて、長手方向及び幅方向を有する縦長の形状を有するとともに、装着時に動物の肌面に対向する内表面と、該内表面の反対側の面となる外表面と、を有し、
さらに、前記長手方向の両端に位置する前記背部側端部及び前記腹部側端部のうちの少なくとも一方の端部は、動物の前後方向における後方側から前記帯体部の前記胴体対向面側又は前記帯体部の内部に挿入されて前記帯体部の前記胴体対向面又は前記内部の表面と係合する吸収本体部側係合部を、前記内表面及び前記外表面のうちの少なくとも一方の面に備えている、前記動物用吸収性物品。
【請求項２】
前記帯体部は、動物の胴周り方向に対応する第１方向と、動物の前後方向に対応する第２方向とを有するとともに、装着時に動物の後方側に位置する前記第２方向の後方側端部から前記第２方向の前方側端部に向かって延在し且つ前記第１方向に少なくとも部分的に延在する第１被覆部と、前記帯体部の厚さ方向において前記第１被覆部と重複するように前記第１方向及び前記第２方向に延在し且つ前記第１被覆部の前記胴体非対向面側に位置する第２被覆部と、を有しており、
前記帯体部の前記内部の表面が、前記第１被覆部の胴体非対向面側の表面及び前記第２被覆部の胴体対向面側の表面によって形成され、
さらに、前記第１被覆部の胴体非対向面側の表面及び前記第２被覆部の胴体対向面側の表面の少なくとも一方の表面に、前記吸収本体部側係合部と係合する帯体部側係合部を備えている、請求項１に記載の動物用吸収性物品。
【請求項３】
前記帯体部は、前記第１被覆部の胴体非対向面側の表面に前記帯体部側係合部を備え、
前記吸収本体部は、前記内表面に前記吸収本体部側係合部を備えており、
前記吸収本体部の前記吸収本体部側係合部は、前記第１被覆部の胴体非対向面側の表面の前記帯体部側係合部と係合する、請求項２に記載の動物用吸収性物品。
【請求項４】
前記帯体部は、前記第２被覆部の胴体対向面側の表面に前記帯体部側係合部を備え、
前記吸収本体部は、前記外表面に前記吸収本体部側係合部を備えており、
前記吸収本体部の前記吸収本体部側係合部は、前記第２被覆部の胴体対向面側の表面の前記帯体部側係合部と係合する、請求項２に記載の動物用吸収性物品。
【請求項５】
前記帯体部は、前記第１被覆部の胴体非対向面側の表面及び前記第２被覆部の胴体対向面側の表面の各々に前記帯体部側係合部を備え、
前記吸収本体部は、前記内表面及び前記外表面の各々に前記吸収本体部側係合部を備えており、
前記吸収本体部の前記内表面の前記吸収本体部側係合部及び前記外表面の前記吸収本体部側係合部の各々は、前記帯体部の前記第１被覆部の胴体非対向面側の表面の前記帯体部側係合部及び前記第２被覆部の胴体対向面側の表面の前記帯体部側係合部の各々と係合する、請求項２に記載の動物用吸収性物品。
【請求項６】
前記第１被覆部及び前記第２被覆部は、前記第２方向の長さが前記帯体部の前記第２方向の全長よりも短い、請求項２〜５のいずれか一項に記載の動物用吸収性物品。
【請求項７】
前記第１被覆部及び前記第２被覆部は、前記第１方向において部分的に延在している、請求項６に記載の動物用吸収性物品。
【請求項８】
前記第１被覆部及び前記第２被覆部は、前記第１方向において連続的に延在している、請求項２〜６のいずれか一項に記載の動物用吸収性物品。
【発明の詳細な説明】
【技術分野】
【０００１】
本発明は、犬や猫などの動物に用いられる、使い捨ておむつ等の動物用吸収性物品に関する。
【背景技術】
【０００２】
犬等のペットが排泄した排泄物を処理するための動物用吸収性物品として、ペットの胴周りに巻き付けて装着される帯状のベルトと、ペットの股下部に配置され且つ前記ベルトに着脱自在に固定される使い捨ておむつとを備えた、動物用吸収性物品が知られている。
【０００３】
そのような動物用吸収性物品として、例えば、特許文献１には、予めペットの胴部に巻いておく伸縮素材のベルトと、両脇を山形に高くした構造の吸収体を備えたオムツ本体とからなる二部式の寝たきりペット用紙オムツにおいて、オムツ本体前部にミシン目を設けるとともに、オムツ本体後部にスリットで分割された伸縮素材を用いた、寝たきりペット用紙オムツが開示されている。この特許文献１に開示されたペット用紙オムツは、オムツ本体の前部と後部に分割された伸縮素材を用いることにより、横臥による体形の左右バランスの変化にもフィットすることができ、さらに、両脇を山形にした構造の吸収体により、尿や糞の横漏れを防止することができるとされている。
【先行技術文献】
【特許文献】
【０００４】
【特許文献１】特開２００６−１２２０３９号公報
【発明の概要】
【発明が解決しようとする課題】
【０００５】
しかしながら、この特許文献１に開示されたペット用紙オムツのように、オムツ本体（吸収本体部）の長手方向の両端に位置する後部側（背部側）の端部及び前部側（腹部側）の端部が、動物の胴体に装着された前記ベルト（帯体部）の上を通って、当該帯体部の前方側から前記帯体部の内側（胴体対向面側）に折り返され、前記帯体部の胴体対向面に配置された接着テープと接着する態様のものでは、吸収本体部が帯体部の胴体非対向面側の表面を覆うように露出するため、当該帯体部の胴体非対向面側の表面上に露出する吸収本体部の幅方向における端部が動物の爪や外部の構造物に引っ掛かりやすく、当該吸収本体部が帯体部からズレたり、外れたりする虞があった。
【０００６】
そこで、本発明は、帯体部と該帯体部に固定される吸収本体部とを備えた動物用吸収性物品であって、前記吸収本体部が前記帯体部からズレたり、外れたりしにくい動物用吸収性物品を提供することを目的とする。
【課題を解決するための手段】
【０００７】
本発明の一態様（態様１）は、動物の胴周りに沿って着脱自在に装着され、装着時に動物の胴体に対向する胴体対向面及び該胴体対向面の反対側に位置する胴体非対向面を有する帯体部と、動物の背部、股下部及び腹部に沿って配置され、前記動物の背部側に位置する背部側端部及び前記動物の腹部側に位置する腹部側端部のうちの少なくとも一方の端部が前記帯体部に対して着脱自在に係合固定される吸収本体部と、を備えた動物用吸収性物品であって、
前記吸収本体部は、展開した状態の平面視にて、長手方向及び幅方向を有する縦長の形状を有するとともに、装着時に動物の肌面に対向する内表面と、該内表面の反対側の面となる外表面と、を有し、
さらに、前記長手方向の両端に位置する前記背部側端部及び前記腹部側端部のうちの少なくとも一方の端部は、動物の前後方向における後方側から前記帯体部の前記胴体対向面側又は前記帯体部の内部に挿入されて前記帯体部の前記胴体対向面又は前記内部の表面と係合する吸収本体部側係合部を、前記内表面及び前記外表面のうちの少なくとも一方の面に備えている、前記動物用吸収性物品である。
【０００８】
本態様１の動物用吸収性物品は、吸収本体部の長手方向の両端に位置する背部側端部及び腹部側端部のうちの少なくとも一方の端部が、動物の前後方向における後方側から前記帯体部の前記胴体対向面側又は前記帯体部の内部に挿入されて前記帯体部の胴体対向面又は前記内部の表面と係合する吸収本体部側係合部を、前記内表面及び前記外表面のうちの少なくとも一方の面に備えていて、前記帯体部及び前記吸収本体部を動物に装着したときに、前記吸収本体部が前記帯体部の胴体非対向面側の表面を覆うように露出しないため、吸収本体部の幅方向における端部が、動物の爪や外部の構造物に引っ掛かりにくく（すなわち、吸収本体部が帯体部からズレたり、外れたりしにくく）、当該吸収本体部を、帯体部に対して着実に係合固定させることができる。
【０００９】
また、本発明の別の態様（態様２）では、前記態様１の動物用吸収性物品において、前記帯体部は、動物の胴周り方向に対応する第１方向と、動物の前後方向に対応する第２方向とを有するとともに、装着時に動物の後方側に位置する前記第２方向の後方側端部から前記第２方向の前方側端部に向かって延在し且つ前記第１方向に少なくとも部分的に延在する第１被覆部と、前記帯体部の厚さ方向において前記第１被覆部と重複するように前記第１方向及び前記第２方向に延在し且つ前記第１被覆部の前記胴体非対向面側に位置する第２被覆部と、を有しており、
前記帯体部の前記内部の表面が、前記第１被覆部の胴体非対向面側の表面及び前記第２被覆部の胴体対向面側の表面によって形成され、
さらに、前記第１被覆部の胴体非対向面側の表面及び前記第２被覆部の胴体対向面側の表面の少なくとも一方の表面に、前記吸収本体部側係合部と係合する帯体部側係合部を備えている。
【００１０】
本態様２の動物用吸収性物品は、帯体部が上記第１被覆部の胴体非対向面側の表面及び上記第２被覆部の胴体対向面側の表面の少なくとも一方の表面に、上述の吸収本体部側係合部と係合する帯体部側係合部を備えており、吸収本体部側係合部と帯体部側係合部の係合箇所が上述の第１被覆部及び第２被覆部で覆われる、すなわち、帯体部の胴体非対向面側の表面だけでなく、胴体非対向面側の表面にも露出しないため、吸収本体部の幅方向における端部が動物の爪や外部の構造物に引っ掛かりにくいことに加えて、吸収本体部の長手方向における端部が動物の胴体と接触しにくく（すなわち、動物の胴体と擦れて捲れたり、外れたりしにくく）、当該吸収本体部を、帯体部に対してより着実に係合固定させることができる。
【００１１】
本発明の更に別の態様（態様３）では、前記態様２の動物用吸収性物品において、前記帯体部は、前記第１被覆部の胴体非対向面側の表面に前記帯体部側係合部を備え、
前記吸収本体部は、前記内表面に前記吸収本体部側係合部を備えており、
前記吸収本体部の前記吸収本体部側係合部は、前記第１被覆部の胴体非対向面側の表面の前記帯体部側係合部と係合する。
【００１２】
本態様３の動物用吸収性物品は、吸収本体部の前記吸収本体部側係合部が前記第１被覆部の胴体非対向面側の表面の前記帯体部側係合部と係合するように構成されており、かかる係合部同士の係合箇所が上述の第２被覆部によって覆われて帯体部の胴体非対向面側の表面に露出しないため、吸収本体部の幅方向における端部だけでなく、長手方向における端部も動物の爪や外部の構造物に引っ掛かりにくく、当該吸収本体部を、帯体部に対してより着実に係合固定させることができる。
さらに、帯体部の第２被覆部は、吸収本体部の外表面と係合せず、捲ることが可能であるため、吸収本体部側係合部と帯体部側係合部を係合させた後に、第２被覆部の第２方向における後方側の端部を捲りあげて、上述の係合部同士の係合を解除しつつ、吸収本体部の取り付け位置や締め付け力を調節することができる。これにより、本態様３の動物用吸収性物品は、吸収本体部を、帯体部に対してより的確に係合固定させることができる。
【００１３】
本発明の更に別の態様（態様４）では、前記態様２の動物用吸収性物品において、前記帯体部は、前記第２被覆部の胴体対向面側の表面に前記帯体部側係合部を備え、
前記吸収本体部は、前記外表面に前記吸収本体部側係合部を備えており、
前記吸収本体部の前記吸収本体部側係合部は、前記第２被覆部の胴体対向面側の表面の前記帯体部側係合部と係合する。
【００１４】
本態様４の動物用吸収性物品は、吸収本体部の前記吸収本体部側係合部が前記第２被覆部の胴体対向面側の表面の前記帯体部側係合部と係合するように構成されており、第１被覆部の胴体非対向面側の表面とは係合しないため、上述の吸収本体部側係合部と帯体部側係合部の係合箇所が動物の胴体の動きの影響を受けにくく、上述の係合部同士の係合をより着実に維持することができる。
【００１５】
本発明の更に別の態様（態様５）では、前記態様２の動物用吸収性物品において、前記帯体部は、前記第１被覆部の胴体非対向面側の表面及び前記第２被覆部の胴体対向面側の表面の各々に前記帯体部側係合部を備え、
前記吸収本体部は、前記内表面及び前記外表面の各々に前記吸収本体部側係合部を備えており、
前記吸収本体部の前記内表面の前記吸収本体部側係合部及び前記外表面の前記吸収本体部側係合部の各々は、前記帯体部の前記第１被覆部の胴体非対向面側の表面の前記帯体部側係合部及び前記第２被覆部の胴体対向面側の表面の前記帯体部側係合部の各々と係合する。
【００１６】
本態様５の動物用吸収性物品は、前記吸収本体部の前記内表面における前記吸収本体部側係合部及び前記外表面における前記吸収本体部側係合部の各々が前記帯体部の前記第１被覆部の胴体非対向面側の表面における前記帯体部側係合部及び前記第２被覆部の胴体対向面側の表面における前記帯体部側係合部の各々と係合するように構成されており、吸収本体部が、内表面及び外表面の両面において、前記帯体部に係合固定されるため、当該吸収本体部を、帯体部に対してより強固に係合固定させることができる。
【００１７】
本発明の更に別の態様（態様６）では、前記態様２〜５のいずれかの動物用吸収性物品において、前記第１被覆部及び前記第２被覆部は、前記第２方向の長さが前記帯体部の前記第２方向の全長よりも短い。
【００１８】
本態様６の動物用吸収性物品は、前記第１被覆部及び前記第２被覆部の第２方向（すなわち、動物の前後方向）の長さが前記帯体部の前記第２方向の全長よりも短く、前記第１被覆部及び前記第２被覆部が前記帯体部の前記第２方向における前方側端部まで延在していないため、前記帯体部に係合固定された吸収本体部の長手方向における端部が、前記帯体部の前記第２方向における前方側端部から露出しにくく（すなわち、吸収本体部の長手方向における端部が、動物の爪や外部の構造物に引っ掛かりにくく）、上述の係合部同士の係合をより確実に維持することができる。
【００１９】
本発明の更に別の態様（態様７）では、前記態様６の動物用吸収性物品において、前記第１被覆部及び前記第２被覆部は、前記第１方向において部分的に延在している。
【００２０】
本態様７の動物用吸収性物品は、上述の態様６の動物用吸収性物品において、前記第１被覆部及び前記第２被覆部が前記第１方向において部分的に延在しているという構成を更に備えているため、第１被覆部及び第２被覆部が捲れにくく、仮に捲れたとしても、元の状態に戻りやすくなっている。これにより、本態様７の動物用吸収性物品は、上述の係合部同士の係合を更に確実に維持することができる。
【００２１】
本発明の更に別の態様（態様８）では、前記態様２〜６のいずれかの動物用吸収性物品において、前記第１被覆部及び前記第２被覆部は、前記第１方向において連続的に延在している。
【００２２】
本態様８の動物用吸収性物品は、前記第１被覆部及び前記第２被覆部が前記第１方向（動物の胴周り方向）において連続的に延在しており、吸収本体部を帯体部の第１方向における所望の箇所に係合固定させることができるため、当該吸収本体部を、動物の体形等に応じて帯体部の適正な位置に係合固定させることができる。これにより、本態様８の動物用吸収性物品は、上述の吸収本体部を帯体部に対して更に的確に係合固定させることができる。
【発明の効果】
【００２３】
本発明によれば、帯体部と該帯体部に固定される吸収本体部とを備えた動物用吸収性物品であって、前記吸収本体部が前記帯体部からズレたり、外れたりしにくい動物用吸収性物品を提供することができる。
【図面の簡単な説明】
【００２４】
【図１】図１は、本発明の第１実施形態に係る動物用使い捨ておむつの帯体部１を、展開した状態で胴体対向面側から厚さ方向に見た平面図である。
【図２】図２は、本発明の第１実施形態に係る動物用使い捨ておむつの帯体部１を、展開した状態で胴体非対向面側から厚さ方向に見た平面図である。
【図３】図３は、帯体部１における、図１の幅方向の中央軸線ＣＬに沿った長手方向断面の端面図である。
【図４】図４は、本発明の第１実施形態に係る動物用使い捨ておむつの吸収本体部１０を、展開した状態で胴体非対向面側から厚さ方向に見た平面図である。
【図５】図５は、本発明の第１実施形態に係る動物用使い捨ておむつにおいて、帯体部１に吸収本体部１０を係合固定させる様子を説明するための斜視図である。
【図６】図６は、本発明の第１実施形態に係る動物用使い捨ておむつを犬に装着した状態を示す模式図である。
【図７】図７は、本発明の第２実施形態に係る動物用使い捨ておむつの帯体部１を、展開した状態で胴体対向面側から厚さ方向に見た平面図である。
【図８】図８は、本発明の第２実施形態に係る動物用使い捨ておむつの帯体部１を、展開した状態で胴体非対向面側から厚さ方向に見た平面図である。
【図９】図９は、本発明の第２実施形態に係る動物用使い捨ておむつにおいて、帯体部１に吸収本体部１０を係合固定させる様子を説明するための斜視図である。
【図１０】図１０（ａ）は、本発明の第２実施形態に係る動物用使い捨ておむつにおいて、吸収本体部１０の背部側係合部材１８が、帯体部１の第１被覆部２０の胴体非対向面側の表面における帯体部側係合部と係合する様子を示す部分断面図であり、図１０（ｂ）は、本発明の第２実施形態の変形例に係る動物用使い捨ておむつにおいて、吸収本体部１０の背部側係合部材１８が、帯体部１の第２被覆部２１の胴体対向面側の表面における帯体部側係合部と係合する様子を示す部分断面図である。
【図１１】図１１は、本発明の第２実施形態の更に別の変形例に係る動物用使い捨ておむつの帯体部１の斜視図である。
【図１２】図１２は、本発明の第３実施形態に係る動物用使い捨ておむつの帯体部１の態様を示す模式図である。
【図１３】図１３は、本発明の第４実施形態に係る動物用使い捨ておむつの帯体部１の斜視図である。
【発明を実施するための形態】
【００２５】
以下、本発明の動物用吸収性物品の好適な実施形態について、図面を参照しながら詳細に説明する。なお、本明細書においては、特に断りのない限り、「展開した状態で水平面上に置いた対象物（例えば、帯体部、吸収本体部等）を、垂直方向の上方側から対象物の厚さ方向に見ること」を、単に「平面視」という。
【００２６】
本明細書において用いられる各種方向等については、特に断りのない限り、以下のとおりである。
本明細書において、「長手方向」は、「平面視における縦長の対象物（例えば、帯体部、吸収本体部等）の長さの長い方向」を指し、「幅方向」は、「平面視における縦長の対象物の長さの短い方向（短手方向）」を指し、「厚さ方向」は、「展開した状態で水平面上に置いた対象物に対して垂直方向」を指し、これらの長手方向、幅方向及び厚さ方向は、それぞれ互いに直交する関係にある。
さらに、本明細書では、「縦長の対象物（例えば、帯体部、吸収本体部等）の幅方向において、該対象物の幅方向の中央に位置し且つ長手方向に延びる幅方向の中央軸線ＣLに対して、相対的に近位側」を「幅方向の内方側」といい、「縦長の対象物の幅方向において、前記幅方向の中央軸線ＣLに対して相対的に遠位側」を「幅方向の外方側」という。同様に、「縦長の対象物の長手方向において、該対象物の長手方向の中央に位置し且つ幅方向に延びる長手方向の中央軸線ＣWに対して、相対的に近位側」を「長手方向の内方側」といい、「縦長の対象物の長手方向において、前記長手方向の中央軸線ＣWに対して、相対的に遠位側」を「長手方向の外方側」という。
また、本明細書では、「帯体部の装着対象である動物の胴体が延びる方向」を「動物の前後方向」といい、「動物の前後方向において、動物の頭部に対して相対的に近位側」を「動物の前方側」といい、「動物の前後方向おいて、動物の頭部に対して相対的に遠位側」を「動物の後方側」という。
そして、本明細書では、特に断りのない限り、「帯体部及び吸収本体部の厚さ方向において、帯体部及び吸収本体部を動物の胴体に装着したときに、動物の胴体に対して相対的に近位側となる一方側」を「胴体対向面側」といい、「帯体部及び吸収本体部の厚さ方向において、帯体部及び吸収本体部を動物の胴体に装着したときに、動物の胴体に対して相対的に遠位側となる他方側」を「胴体非対向面側」という。なお、本明細書においては、帯体部及び吸収本体部並びにこれらを構成する各種部材（例えば、芯材、内側表面材、外側表面材、表面シート、吸収体、裏面シート等）の「胴体対向面側の表面」及び「胴体非対向面側の表面」を、それぞれ「胴体対向面」及び「胴体非対向面」ということがあるが、特に、吸収本体部の「胴体対向面」及び「胴体非対向面」については、それぞれ「内表面」及び「外表面」という。
【００２７】
図１は、本発明の第１実施形態に係る動物用使い捨ておむつの帯体部１を、展開した状態で胴体対向面側から厚さ方向に見た平面図であり、図２は、かかる帯体部１を、展開した状態で胴体非対向面側から厚さ方向に見た平面図であり、図３は、かかる帯体部１における、図１の幅方向の中央軸線ＣＬに沿った長手方向断面の端面図である。また、図４は、本発明の第１実施形態に係る動物用使い捨ておむつの吸収本体部１０を、展開した状態で胴体非対向面側から厚さ方向に見た平面図であり、図５は、本発明の第１実施形態に係る動物用使い捨ておむつにおいて、帯体部１に吸収本体部１０を係合固定させる様子を説明するための斜視図であり、さらに、図６は、本発明の第１実施形態に係る動物用使い捨ておむつを犬（雌犬）に装着した状態を示す模式図である。
【００２８】
図１〜図６に示すように、本発明の第１実施形態に係る動物用使い捨ておむつは、装着対象となる犬などの動物の背部及び腹部を含む胴周りに沿って着脱自在に装着され、動物の胴体と対向する胴体対向面Ｆ１及び該胴体対向面Ｆ１の反対側に位置する胴体非対向面Ｆ２を有する帯体部１と、動物の背部、股下部及び腹部に沿って配置され（より具体的には、動物の股下部を中心にして動物の腹部から背部に至る部分に配置され）、動物の腹部側に位置する腹部側端部ＥＬ３及び動物の背部側に位置する背部側端部ＥＬ４の両方の端部が、前記帯体部１の胴体対向面Ｆ１に対してそれぞれ着脱自在に係合固定される吸収本体部１０と、を備えた２ピース型の構造を有している。
【００２９】
本第１実施形態において、帯体部１は、図６に示すように、犬などの動物の背部及び腹部を含む胴周りに沿って着脱自在に装着されて、動物の股下部に配置される吸収本体部１０（すなわち、動物用使い捨ておむつ本体）を、位置がズレたり、外れたりしないように支持するための再利用可能な帯状の部材である。
なお、本明細書において、「再利用可能」とは、動物の排泄物や汗、その他の汚染物等によって汚れた場合に、洗濯等による洗浄及び乾燥を施すことによって、再度利用し得る状態を形成することができることをいう。
【００３０】
帯体部１は、図１〜図３に示すように、動物の胴周り方向に対応する第１方向Ｄ１（平面視における帯体部の長手方向）と、動物の前後方向に対応する第２方向Ｄ２（平面視における帯体部の幅方向）と、厚さ方向Ｔ’と、を有するとともに、平面視にて、第１方向Ｄ１（すなわち、長手方向）の両端部（図１及び図２における、第１方向Ｄ１の一方側端部ＥL1及び他方側端部ＥL2）の各々が前記第１方向Ｄ１の外方側に向かって円弧状に突出し且つ第２方向Ｄ２（すなわち、幅方向）の両端縁部（図１及び図２における、第２方向Ｄ２の前方側端部ＥＷ１及び後方側端部ＥＷ２）の各々が前記第１方向Ｄ１に沿って直線状に延びる、縦長の外形形状を有していて、動物の胴周りに沿って巻き付けられるように（すなわち、帯体部１の第１方向Ｄ１の長さが動物の胴周り長さよりも大きくなるように）構成されている。
【００３１】
なお、本発明において、帯体部の外形形状及び外形寸法は、本第１実施形態の態様に限定されず、装着対象となる動物の胴周り長さよりも大きい第１方向長さ（長手方向長さ）を有する縦長の外形形状であれば、動物の種類や体型、サイズ等に応じた任意の縦長の外形形状（例えば、長方形、四隅の各々が円弧状の略長方形、楕円形、砂時計形等）及び外形寸法を採用することができる。
【００３２】
上述の第１実施形態において、帯体部１は、図１〜図４に示すように、装着時に動物の胴体と対向し且つ上述の吸収本体部１０が着脱自在に固定される固定部（図１及び２における、ループ部材９からなる帯体部側係合部）を有する胴体対向面Ｆ1と、該胴体対向面Ｆ1とは反対側の面である胴体非対向面Ｆ2と、を有するとともに、平面視にて、前記第１方向Ｄ１の中央に位置し且つ装着時に動物の腹部に対応する中央領域ＡＣと、前記第１方向Ｄ１の一方側端部ＥＬ１及び前記中央領域ＡＣの間に延在し且つ装着時に動物の背部に対応する第１領域Ａ１と、前記第１方向Ｄ１の他方側端部ＥＬ２及び前記中央領域ＡＣの間に延在し且つ装着時に動物の背部に対応する第２領域Ａ２と、を有している。
【００３３】
また、帯体部１は、厚さ方向Ｔ’において、帯体部１の胴体対向面側に位置して前記帯体部１の胴体対向面Ｆ1を形成する内側表面材２と、帯体部１の胴体非対向面側に位置して前記帯体部１の胴体非対向面Ｆ2を形成する外側表面材３と、これらの表面材の間に位置して前記帯体部１に所定の剛性を付与する芯材４と、を備え、さらに、帯体部１の前記第１領域Ａ１の胴体対向面Ｆ1に配置されたループ部材６（第１係合部）と、帯体部１の前記第２領域Ａ２の胴体非対向面Ｆ２に配置され且つ前記ループ部材６と係合可能なフック部材７（第２係合部）と、帯体部１の前記第１領域Ａ１の胴体対向面Ｆ1において前記ループ部材６の前記第１方向Ｄ１（すなわち、長手方向）の外方側に隣接するように配置され且つ前記胴体非対向面Ｆ２における前記フック部材７よりも前記第１方向Ｄ１の内方側に位置する胴体非対向面側被係合部と係合可能なフック部材５（第３係合部）と、帯体部１の外周端縁部（すなわち、帯体部１における第１方向Ｄ１の一方側端部ＥL1及び他方側端部ＥL2並びに第２方向Ｄ２の前方側端部ＥW1及び後方側端部ＥW2からなる、帯体部１の外周全体に沿った端縁部）において帯体部１の胴体対向面Ｆ1から胴体非対向面Ｆ2まで延在するように（すなわち、縁取るように）配置された剛性補強部材８と、帯体部１の前記中央領域ＡＣ及び前記第２領域Ａ２の各々の胴体対向面Ｆ1に配置され且つ吸収本体部１０の胴体非対向面となる外表面Ｆ３に配置された吸収本体部側係合部（すなわち、腹部側係合部材１７及び背部側係合部材１８）と係合可能なループ部材９（帯体部側係合部材）と、を備えていて、当該帯体部１を、動物の胴体に対して着実に装着できるように構成されている。
なお、本第１実施形態において、内側表面材２、外側表面材３及び芯材４は、それぞれ平面視にて、帯体部１の第１方向Ｄ１における一方側端部ＥL1から他方側端部ＥL2に亘って延在しているとともに、帯体部１の第２方向Ｄ２における前方側端部ＥW1から後方側端部ＥW2に亘って延在している。
【００３４】
本明細書において、帯体部の第１方向（すなわち、長手方向）における第１領域は、平面視にて、帯体部の第１方向における一方側端部（本実施形態においては、図１及び図２に示す一方側端部ＥL1）から第１方向の内方側に向かって延在する領域であり、帯体部の装着時には動物の背部に対応し、第１方向長さ（すなわち、長手方向長さ）が、例えば、帯体部全体の第１方向長さの約１／４となる領域を指す。同様に、帯体部の第１方向における第２領域は、平面視にて、帯体部の第１方向における他方側端部（本実施形態においては、図１及び図２に示す他方側端部ＥL2）から第１方向の内方側に向かって延在する領域であり、帯体部の装着時には動物の背部に対応し、第１方向長さが、例えば、帯体部全体の第１方向長さの約１／４となる領域を指す。さらに、帯体部の第１方向における中央領域は、上述の第１領域と第２領域との間に延在する領域であり、帯体部の装着時には動物の腹部に対応し、第１方向長さが、例えば、帯体部全体の第１方向長さの約１／２となる領域を指す。なお、第１領域、第２領域及び中央領域の各々の第１方向長さは、帯体部の装着対象となる動物の種類や体型、サイズなどに応じて適宜設定されるものである。
【００３５】
また、帯体部の上記固定部は、帯体部の胴体対向面又は内部の表面において、吸収本体部が着脱自在に固定される部分（後述する吸収本体部の胴体非対向面となる外表面及び／又は胴体対向面となる内表面に配置された吸収本体部側係合部が着脱自在に係合固定される部分）であり、上述の第１実施形態においては、ループ部材９によって形成されているが、当該固定部は、帯体部の胴体対向面又は内部の表面を形成する部材（例えば、内側表面材等）を吸収本体部側係合部と係合可能な部材によって構成することにより、形成されていてもよい。
【００３６】
一方、上述の第１実施形態において、吸収本体部１０は、動物の股下部を中心にして動物の腹部から背部に至る部分に配置されて、特に、動物の股下部において、動物から排出される尿などの排泄物を吸収して保持するための部材である。吸収本体部１０は、図４に示すように、展開した状態の平面視にて、長手方向Ｌ及び幅方向Ｗを有する縦長の略矩形状の外形形状を有するとともに、厚さ方向Ｔにおいて、装着時に動物の胴体に対して胴体非対向面となる外表面Ｆ3と、当該外表面Ｆ3とは反対側の面（胴体対向面）となる内表面Ｆ4と、を有している。
なお、本発明において、吸収本体部の外形形状や外形寸法等は、特に制限されず、装着対象となる動物の種類や体型、サイズ等に応じた任意の縦長の外形形状（例えば、長方形、楕円形、砂時計形等）や外形寸法等を採用することができる。また、上述の第１実施形態においては、吸収本体部１０は、動物用使い捨ておむつ本体によって構成されているが、本発明においては、このような態様に限定されず、吸収本体部は、（軽）失禁パッド本体等の任意の吸収性物品本体を採用することができる。
【００３７】
上述の第１実施形態において、吸収本体部１０は、図４に示すように、厚さ方向Ｔにおいて、吸収本体部１０の胴体対向面側に位置する液透過性の表面シート１１と、吸収本体部１０の胴体非対向面側に位置する液不透過性の裏面シート１２と、これら各シートの間に位置し且つ平面視にて吸収本体部１０の幅方向Ｗに延びる長手方向の中央軸線Ｃ’Wを長手方向Ｌに跨いで延在するとともに長手方向Ｌに延びる幅方向の中央軸線Ｃ’Lを幅方向Ｗに跨いで延在するように配置された吸収体１３と、を基本構成として備えていて、動物から排泄された尿などの排泄物を厚さ方向Ｔに浸透させながら吸収体１３にて吸収及び保持することができるように構成されている。
【００３８】
さらに、吸収本体部１０は、図４に示すように、吸収本体部１０の長手方向Ｌにおける両方の端部（すなわち、腹部側端部ＥL3及び背部側端部ＥL4）の各々の外表面Ｆ3に配置された腹部側係合部材１７及び背部側係合部材１８（吸収本体部側係合部）と、平面視にて吸収体１３及び背部側端部ＥL4の間において幅方向の中央軸線Ｃ’Lと重複する位置に配置された、動物の尻尾を挿通するための尻尾用開口部１９と、表面シート１１の胴体対向面側において幅方向の中央軸線Ｃ’Lを挟むように配置された、一対のサイドシート１４と、当該サイドシート１４の幅方向Ｗにおける内方側の端部に配置された、長手方向Ｌに延びるギャザー形成用弾性部材１５と、平面視にて吸収体１３を挟むようにして当該吸収体１３に対して幅方向Ｗの外方側に配置された弾性部材１６と、を更に備えていて、動物の股下部に着実に装着することができ、動物から排泄された尿などの排泄物を外部に漏出させないように構成されている。
【００３９】
このように構成された吸収本体部１０は、図５及び図６に示すように、長手方向Ｌにおける両方の端部（すなわち、腹部側端部ＥL3及び背部側端部ＥL4）が動物の前後方向における後方側から前記帯体部１の胴体対向面側に挿入され（より具体的には、帯体部１の胴体対向面Ｆ１と動物の胴体との間に挿入され）、上記両方の端部の各々の外表面Ｆ3に配置された腹部側係合部材１７及び背部側係合部材１８（吸収本体部側係合部）が前記帯体部１の胴体対向面Ｆ１におけるループ部材９（帯体部側係合部）と係合することにより、前記帯体部１に対して着脱自在に係合固定される。
したがって、本第１実施形態に係る動物用使い捨ておむつは、帯体部１及び吸収本体部１０を動物に装着したときに、吸収本体部１０が帯体部１の胴体非対向面側の表面を覆うように露出しないため、吸収本体部１０の幅方向Ｗにおける端部が、動物の爪や外部の構造物に引っ掛かりにくく（すなわち、吸収本体部が帯体部からズレたり、外れたりしにくく）、当該吸収本体部１０を、帯体部１に対して着実に係合固定させることができる。
【００４０】
なお、本第１実施形態においては、吸収本体部１０の長手方向Ｌにおける両方の端部に吸収本体部側係合部が設けられているが、一方の端部だけでも動物の種類や習性、飼育形態（例えば、動物が寝たきりの場合等）によって吸収本体部が帯体部からズレたり、外れたりする虞が少ないような場合は、吸収本体部側係合部は、吸収本体部の長手方向における一方の端部のみに設けられていてもよい。この場合、他方の端部は、帯体部と動物の胴体との間に挟み込まれるか、締結用の紐等の任意の結合手段によって帯体部に固定される。
【００４１】
なお、本第１実施形態に係る動物用使い捨ておむつは、次のようにして動物の胴体に装着される。
まず、帯体部１は、第１方向Ｄ１（すなわち、帯体部１の長手方向）が動物の胴周り方向に対応し且つ前記中央領域ＡCが動物の腹部に対向するように動物の胴体にあてがわれた後、動物の胴周りに沿うようにして動物の胴体に巻き付けられる。このとき、動物の背部において、帯体部１の第１方向Ｄ１における一方側の第１領域Ａ１が、図５及び図６に示すように他方側の第２領域Ａ２の上（具体的には、第２領域Ａ２の胴体非対向面上）に重ねられ、前記第１領域Ａ１の胴体対向面Ｆ1に配置されたループ部材６（第１係合部）が、前記第２領域Ａ２の胴体非対向面Ｆ２に配置されたフック部材７（第２係合部）に係合固定される。さらに、帯体部１の胴体対向面Ｆ１に配置されたフック部材５（第３係合部）が、帯体部１の胴体非対向面Ｆ２において前記フック部材７よりも第１方向Ｄ１の内方側に位置する胴体非対向面側被係合部に係合固定されて、帯体部１の第１方向Ｄ１における一方側端部ＥＬ１が動物の胴周りに沿うように固定される。このようにして動物の胴体に装着された帯体部１は、第１方向Ｄ１における一方側端部ＥＬ１が動物の胴周りに沿うように固定されるため、当該一方側端部ＥＬ１が動物の爪や外部の構造物に引っ掛かりにくく（すなわち、帯体部１が動物の胴体からズレたり、外れたりしにくく）、動物の胴体に着実に装着される。
そして、吸収本体部１０は、長手方向Ｌにおける両方の端部（すなわち、腹部側端部ＥL3及び背部側端部ＥL4）が動物の前後方向における後方側から前記帯体部１の胴体対向面側に挿入され（より具体的には、帯体部１の胴体対向面Ｆ１と動物の胴体との間に挿入され）、上記両方の端部の各々の外表面Ｆ3に配置された腹部側係合部材１７及び背部側係合部材１８（吸収本体部側係合部）が前記帯体部１の中央領域ＡＣ及び第２領域Ａ２の各々の胴体対向面Ｆ1に配置されたループ部材９（帯体部側係合部）に係合固定されることにより、前記帯体部１に対して着脱自在に係合固定される。
【００４２】
ここで、本発明の動物用吸収性物品が適用される「動物」は、ペット等として飼育され得る動物であれば特に限定されず、上述の実施形態のような犬のほか、例えば、猫や猿等の様々な動物を対象とすることができる。なお、本発明の動物用吸収性物品における吸収本体部（例えば、使い捨ておむつや失禁パッド等）が吸収及び保持する対象の排泄物は、特に制限されず、例えば、尿や糞、血液等の各種排泄物が挙げられる。
【００４３】
以下、本発明の動物用吸収性物品における帯体部及び吸収本体部を構成する各種部材について、上述の第１実施形態に係る動物用使い捨ておむつを用いて更に詳細に説明する。
【００４４】
＜帯体部＞
上述の第１実施形態に係る動物用使い捨ておむつにおいて、帯体部１は、前記帯体部１の胴体対向面Ｆ1を形成する内側表面材２と、前記帯体部１の胴体非対向面Ｆ2を形成する外側表面材３と、これらの表面材の間に位置する芯材４と、を厚さ方向Ｔ’に備え、さらに、帯体部１の前記第１領域Ａ１の胴体対向面Ｆ1に配置されたループ部材６（第１係合部）と、帯体部１の前記第２領域Ａ２の胴体非対向面Ｆ２に配置され且つ前記ループ部材６と係合可能なフック部材７（第２係合部）と、帯体部１の前記第１領域Ａ１の胴体対向面Ｆ1において前記ループ部材６の前記第１方向Ｄ１の外方側に隣接するように配置され且つ前記胴体非対向面Ｆ２における前記フック部材７よりも前記第１方向Ｄ１の内方側に位置する胴体非対向面側被係合部と係合可能なフック部材５（第３係合部）と、帯体部１の外周端縁部において帯体部１の胴体対向面Ｆ1から胴体非対向面Ｆ2まで延在するように配置された剛性補強部材８と、帯体部１の前記中央領域ＡＣ及び前記第２領域Ａ２の各々の胴体対向面Ｆ1に配置され且つ吸収本体部１０の胴体非対向面となる外表面Ｆ３に配置された腹部側係合部材１７及び背部側係合部材１８（すなわち、吸収本体部側係合部）と係合可能なループ部材９（帯体部側係合部材）と、を備えている。
【００４５】
なお、本第１実施形態に係る動物用使い捨ておむつにおいては、吸収本体部１０のみが使い捨て可能な部材によって構成され、帯体部１は、再利用可能な部材によって構成されているが、本発明の動物用吸収性物品においては、このような態様に限定されず、帯体部も使い捨て可能な部材によって構成されていてもよい。
【００４６】
［内側表面材］
上述の第１実施形態において、帯体部１に用いられる内側表面材２は、図１及び図３に示すように、平面視にて帯体部１の第１方向Ｄ１における一方側端部ＥL1から他方側端部ＥL2に亘って延在するとともに第２方向Ｄ２における前方側端部ＥW1から後方側端部ＥW2に亘って延在する、縦長の外形形状（より具体的には、第１方向Ｄ１の両端縁部の各々が当該第１方向Ｄ１の外方側に向かって円弧状に突出した縦長の外形形状）を有しており、帯体部１の厚さ方向Ｔ’において胴体対向面側の位置に配置されて、装着対象の動物の胴体に直に接触し得る柔軟性シート材によって構成されている。なお、本第１実施形態においては、内側表面材２は、帯体部１の各係合部に用いられているいずれのフック部材とも係合しない非係合性の柔軟性シート材によって形成されているため、上述の固定部は、この内側表面材２の胴体対向面Ｆ１の上に配置されるループ部材９（帯体部側係合部）によって形成されているが、本発明においては、このような態様に限定されず、内側表面材は、吸収本体部の吸収本体部側係合部と係合し得る係合性の柔軟性シート材（例えば、ループ部材等）によって形成されていてもよい。このように内側表面材が係合性の柔軟性シート材によって形成されていると、吸収本体部の吸収本体部側係合部との係合を、帯体部の第１方向における広範囲の領域で行うことができるため、帯体部に対する吸収本体部の固定位置の調整を、より容易に、より精度よく行うことができる。
【００４７】
本発明において、内側表面材として用い得る柔軟性シート材は、帯体部の内側表面材として用い得る所定の柔軟性を有するものであれば特に制限されず、フェルトやフリース等の不織布；織布；メッシュ材等の編布；天然皮革；合成皮革；ポリオレフィンやポリエステル製シート等の樹脂製シートなどの様々なシート材を採用することができる。中でも、柔軟性や通気性、肌触り、手入れのしやすさ（洗濯容易性）、強度などの点から、不織布や織布、編布等の繊維シートを用いることが好ましい。また、柔軟性シート材がこのような繊維シートからなる場合、その構成繊維は特に制限されず、例えば、合成繊維（例えば、ポリエステル繊維、ナイロン繊維等）、天然繊維（例えば、綿、絹等）、再生繊維（例えば、レーヨン、キュプラ等）、半合成繊維（アセテート繊維等）等の任意の繊維を用いることができ、これらの繊維は単独で用いても、二種類以上の繊維を併用してもよい。
【００４８】
さらに、内側表面材として用い得る柔軟性シート材の構造は、特に制限されず、平坦な無孔のシート材のほか、例えば、有孔のシート材、凹凸構造（例えば、断面形状が波形となる凹凸構造等）を有するシート材なども、好適に用いることができる。なお、柔軟性シート材は、単層構造のシート材であっても、多層構造のシート材であってもよい。
【００４９】
本発明において、内側表面材として用い得る柔軟性シート材の寸法形状や厚み等は、かかる柔軟性シート材が帯体部の内側表面材として機能し得るものであれば特に制限されず、所望の柔軟性や通気性、肌触り、強度等に応じた任意の寸法形状や厚み等を採用することができる。
【００５０】
［芯材］
上述の第１実施形態において、帯体部１に用いられる芯材４は、平面視にて帯体部１の第１方向Ｄ１における一方側端部ＥL1から他方側端部ＥL2に亘って延在するとともに第２方向Ｄ２における前方側端部ＥW1から後方側端部ＥW2に亘って延在する、上述の内側表面材２と同様の縦長の外形形状を有しており、帯体部１の厚さ方向Ｔ’において上述の内側表面材２よりも胴体非対向面側の位置（具体的には、内側表面材２と外側表面材３の間の位置）に配置されて、帯体部１に所定の剛性ないし強度を付与し得る剛性シート材によって構成されている。
【００５１】
本発明において、芯材として用い得る剛性シート材は、帯体部の芯材として用い得る所定の剛性を有するものであれば特に制限されず、平織物等の織布；不織布；編布；天然皮革；合成皮革；ポリオレフィンやポリエステル製シート等の樹脂製シートなどの様々なシート材を採用することができるが、剛性や一定の柔軟性、通気性、強度などの点から、織布や不織布、編布等の繊維シートを用いることが好ましい。なお、剛性シート材が織布等の繊維シートからなる場合、その構成繊維は特に制限されず、上述の柔軟性シート材と同様のものを用いることができる。
【００５２】
また、芯材として用い得る剛性シート材の剛性値は、特に制限されないが、帯体部の巻き付けやすさや胴体形状の追従性などの点から、０．５×１０−４〜１２×１０−４Ｎ・ｍ2／ｍの範囲内であることが好ましい。なお、剛性シート材の剛性値は、曲げ剛性試験、すなわち、測定対象のシート材から所定サイズ（例えば、１００ｍｍ×１００ｍｍ）の試験片を切り出した後、該試験片の各種方向（すなわち、測定対象部材の長手方向及び幅方向のそれぞれに対応する方向）における曲げ剛性を、純曲げ試験機  ＫＥＳ  ＦＢ-２（カトーテック株式会社製）を用いて測定することにより、得ることができる。
【００５３】
本発明において、芯材として用い得る剛性シート材の寸法形状や厚み等は、かかる剛性シート材が帯体部の芯材として機能し得るものであれば特に制限されず、所望の剛性や柔軟性、通気性等に応じた任意の寸法形状や厚み等を採用することができる。
【００５４】
なお、本発明においては、帯体部が、芯材以外の構成部材（例えば、内側表面材や外側表面材、係合部材、剛性補強部材等）によって、帯体部全体として所定の剛性ないし強度を有している場合は、帯体部は、必ずしもこのような芯材を備えていなくてもよい。
【００５５】
［外側表面材］
上述の第１実施形態において、帯体部１に用いられる外側表面材３は、図２及び図３に示すように、平面視にて帯体部１の第１方向Ｄ１における一方側端部ＥL1から他方側端部ＥL2に亘って延在するとともに、第２方向Ｄ２における前方側端部ＥW1から後方側端部ＥW2に亘って延在する、上述の内側表面材２と同様の縦長の外形形状を有しており、帯体部１の厚さ方向Ｔ’において胴体非対向面側の位置（具体的には、上述の芯材４よりも胴体非対向面側の位置）に配置されて、帯体部１の前記第１領域Ａ１の胴体対向面Ｆ1に配置されたフック部材５（第３係合部）と係合し得る、被係合性シート材によって構成されている。このため、本第１実施形態においては、帯体部１の第２領域Ａ２の胴体非対向面Ｆ２においてフック部材７（第２係合部）よりも第１方向Ｄ１の内方側に位置する胴体非対向面側被係合部が、外側表面材３の胴体非対向面Ｆ２の一部として構成されている。
【００５６】
本発明において、外側表面材として用い得る被係合性シート材は、帯体部の胴体非対向面となる表面の少なくとも一部に係合部材（すなわち、帯体部の第３係合部を構成するフック部材）が係合し得る所定の被係合性構造（例えば、ループ構造や所定の繊維長及び繊維間距離を有する繊維集合体構造等）を有し、さらに、帯体部の外側表面材として用い得る所定の柔軟性や強度等を有するものであれば特に制限されず、例えば、合成繊維によって基部及び複数のループ部が一体的に形成された編物からなるシート状のループ材；ポリエステル等の合成樹脂により基部及び複数のループ部が一体的に形成された成形物からなるシート状のループ材；不織布などの様々なシート材を採用することができる。中でも、係合部材との係合のしやすさ、係合強度、柔軟性などの点から、基部及び複数のループ部を有するシート状のループ材を用いることが好ましい。なお、上述の第１実施形態においては、外側表面材３は、基部と複数のループ部を有するシート状のループ材によって構成されている。
【００５７】
帯体部の外側表面材として用い得る被係合性シート材が上述の成形物からなるシート状のループ材からなる場合、その構成材料は特に制限されず、例えば、ポリエステルやポリオレフィン等の任意の合成樹脂を用いることができ、かかる合成樹脂は、単一種類の樹脂を用いても、二種類以上の樹脂を併用してもよい。また、被係合性シート材が上述の編物からなるシート状のループ材又は不織布からなる場合も、その構成繊維は特に制限されず、上述の柔軟性シート材と同様のものを用いることができる。
【００５８】
外側表面材として用い得る被係合性シート材は、当該被係合性シート材の全体が上述の被係合性構造を有している必要はなく、帯体部の第３係合部と係合し得る部分に上述の被係合性構造を有していればよい。したがって、被係合性シート材は、被係合性構造を有している部分以外のその他の部分は、任意のシート材（例えば、上述の内側表面材と同様の繊維シート等）によって構成されていてもよい。
【００５９】
なお、本発明においては、帯体部の第３係合部は必須の構成要件ではないため、帯体部がかかる第３係合部を有していない場合は、外側表面材は、必ずしも被係合性シート材である必要はなく、任意のシート材（例えば、上述の内側表面材と同様の柔軟性シート材等）を用いることができる。
【００６０】
本発明において、外側表面材として用い得るシート材の寸法形状や厚み等は、かかるシート材が帯体部の外側表面材として機能し得るものであれば特に制限されず、所望の剛性や柔軟性、通気性等に応じた任意の寸法形状や厚み等を採用することができる。
【００６１】
［係合部材］
上述の第１実施形態において、帯体部１は、当該帯体部１が動物の胴体に装着した状態を維持するための固定手段として、図１〜図３に示すように、帯体部１の第１領域Ａ１の胴体対向面Ｆ1に配置されるループ部材６（第１係合部）と、帯体部１の第２領域Ａ２の胴体非対向面Ｆ２に配置され且つ前記ループ部材６と係合可能なフック部材７（第２係合部）と、帯体部１の第１領域Ａ１の胴体対向面Ｆ1において前記ループ部材６の前記第１方向Ｄ１（すなわち、長手方向）の外方側に隣接するように配置されるフック部材５（第３係合部）と、を備えており、さらに、吸収本体部１０を帯体部１に固定する（より具体的には、吸収本体部１０の外表面Ｆ３に配置された腹部側係合部材１７及び背部側係合部材１８（吸収本体部側係合部）と係合固定することにより、吸収本体部１０を帯体部１に固定する）ための固定手段として、帯体部１の中央領域ＡＣ及び第２領域Ａ２の各々の胴体対向面Ｆ1に配置されるループ部材９（帯体部側係合部材）を備えている。
【００６２】
以下、帯体部に用い得るこれらの係合部材（フック部材及びループ部材）について、上述の第１実施形態に係る動物用使い捨ておむつの帯体部１を用いて更に詳細に説明する。
なお、本明細書において、「係合」とは、所定構造を有する要素同士が機械的に係わり合うことで繋がり、各要素を所定の力を以て引き離さない限り、その繋がった状態が維持されるような状態をいい、「係合部材」の代表的な例としては、いわゆる面ファスナーなどが挙げられる。
【００６３】
（第１係合部）
上述の第１実施形態において、帯体部１の第１領域Ａ１の胴体対向面Ｆ1に配置されるループ部材６（第１係合部）は、図１に示すように、平面視にて帯体部１の第２方向Ｄ２に長い略矩形状の外形形状を有していて、帯体部１の第２領域Ａ２の胴体非対向面Ｆ２に配置されるフック部材７（第２係合部）と係合し得るように構成されている。
【００６４】
本発明において、第１係合部を形成し得るループ部材としては、第２係合部のフック部材と係合し得る限り特に制限されず、例えば、上述の外側表面材と同様のシート状のループ材を用いることができる。なお、本第１実施形態においては、帯体部１の前記中央領域ＡＣ及び前記第２領域Ａ２の各々の胴体対向面Ｆ1に配置されるループ部材９（帯体部側係合部材）も、ループ部材６（第１係合部）と同様の構造を有するループ材によって構成されている。
【００６５】
なお、本発明においては、第１係合部は、ループ部材に限定されず、フック部材を用いることもできる。この場合、第２係合部がループ部材によって形成されることになる。しかしながら、第１係合部は、上述の第１実施形態のようにループ部材によって形成されていることが好ましい。帯体部の胴体対向面に配置される第１係合部がこのようなループ部材によって形成されていると、かかるループ部材は、第２係合部の係合突起を受け入れる係合凹部（すなわち、ループ部）を有し、係合突起を有していないため、帯体部の装着時に、帯体部の胴体対向面に配置された第１係合部に動物の毛が絡まったり、係合突起によって動物の胴体にチクチクとした刺激を与えたりするのを防ぐことができる。これにより、このような帯体部は、装着時に動物が嫌がりにくく、当該帯体部が適正な位置からズレたり、外れたりするようなことがより生じにくくなる。
【００６６】
また、本発明において、第１係合部の寸法形状や厚み等は、第２係合部と係合し得る限り特に制限されず、所望の係合強度や剛性、柔軟性等に応じた任意の寸法形状や厚み等を採用することができる。
【００６７】
（第２係合部）
上述の第１実施形態において、帯体部１の第２領域Ａ２の胴体非対向面Ｆ２に配置されるフック部材７（第２係合部）は、図２に示すように、平面視にて帯体部１の第２方向Ｄ２に長い略矩形状の外形形状を有していて、帯体部１の第１領域Ａ１の胴体対向面Ｆ1に配置される上述のループ部材６（第１係合部）と係合し得るように構成されている。フック部材７（第２係合部）は、図３に示すように、外側表面材３の胴体非対向面Ｆ２上に配置される基部と、該基部から胴体非対向面側に向かって突出する複数の係合突起とを有しており、さらに、かかる複数の係合突起の各々は、前記基部から胴体非対向面側に向かって延びる軸部と、該軸部の先端（具体的には、前記基部とは反対側に位置する軸部の先端）において該軸部の外周面が拡径する方向に膨らんだ拡径部とを有する、いわゆる、マッシュルーム型のフック材によって構成されている。なお、本第１実施形態においては、帯体部１の第１領域Ａ１の胴体対向面Ｆ1に配置されるフック部材５（第３係合部）も、フック部材７（第２係合部）と同様の構造を有するフック材によって構成されている。
【００６８】
本発明において、第２係合部を形成し得るフック部材は、このような特定構造を有するフック材（すなわち、マッシュルーム型のフック材）に限定されず、例えば、軸部の先端が基部に向かって折り曲げられた構造を有する、いわゆる、カギ型のフック材などの、任意の構造を有するフック材も好適に用いることができる。但し、上記特定構造を有するフック材を第２係合部のフック部材として用いた場合は、当該フック部材が帯体部の胴体対向面に配置されたループ部材（第１係合部）に係合固定されているときに、当該係合固定されている部分が動物の動作等によって様々な方向に引っ張られたとしても、上記フック部材（第２係合部）が上述のループ部材上のあらゆる方向の力に対応して係合状態を維持することができるため、上記フック部材（第２係合部）と上記ループ部材（第１係合部）の係合状態を強固に維持することができ、結果的に、帯体部を動物の胴体の適正な位置からよりズレにくくすることができる上、動物の胴体からより外れにくくすることができる。さらに、このような特定構造を有するフック材は、所定の被係合性構造を有するループ材以外の任意の繊維構造体（例えば、不織布、編布等）と係合することが可能なため、上述の第１係合部を所定のループ材によって形成する必要がなく、省資源化や低コスト化等の各種製品コンセプトに応じた多様な製品設計を実現することができる。
【００６９】
第２係合部を形成し得るフック部材の構成材料は、特に制限されず、例えば、ポリエステルやポリオレフィン、ポリアミド、ポリ塩化ビニル、オレフィン系エラストマー、ウレタン系エラストマーなどの任意の合成樹脂を用いることができ、さらに、かかる合成樹脂は単一種類の樹脂を用いても、二種類以上の樹脂を併用してもよい。
【００７０】
なお、本発明においては、第２係合部は、フック部材に限定されず、ループ部材を用いることもできる。この場合、第１係合部がフック部材によって形成されることになる。しかしながら、第２係合部は、上述の第１実施形態のように複数の係合突起を有するフック部材によって形成されていることが好ましい。帯体部の胴体非対向面に配置される第２係合部がこのような複数の係合突起を有するフック部材によって形成されていると、かかるフック部材と係合する第１係合部は、当該フック部材の係合突起を受け入れる係合凹部（すなわち、ループ部）を有し、係合突起を有していないループ部材によって形成されるため、帯体部の装着時に、当該帯体部の胴体対向面に配置された第１係合部に動物の毛が絡まったり、係合突起によって動物の胴体にチクチクとした刺激を与えたりするのを防ぐことができる。これにより、このような帯体部は、装着時に動物が嫌がりにくく、当該帯体部が適正な位置からズレたり、外れたりするようなことがより生じにくくなる。
【００７１】
また、帯体部が、上述のような第１係合部及び第２係合部を備えていると、かかる帯体部を動物の胴周りに沿って装着する際に、動物の背部において、帯体部の第１方向（すなわち、帯体部の長手方向）における一方側の第１領域が他方側の第２領域の上に（すなわち、第２領域の胴体非対向面上に）重ねられた状態で、上記第１係合部及び第２係合部によって係合固定することができるため、このような第１係合部及び第２係合部を備えた帯体部は、当該帯体部の装着時に、前記第１領域と前記第２領域が上述の各係合部を介して重複し、さらに、その重複した部分が帯体部の第２方向（すなわち、動物の前後方向に対応する方向）に延在するように形成される。これにより、帯体部は、動物の背部に対応する領域において、動物の前後方向に対応する方向の剛性が高くなるため、かかる帯体部を装着した動物が腹部を抱えるように屈曲するなどの動作をしても、帯体部が第２方向に屈曲しにくく、結果的に、帯体部の中央領域が動物の前後方向に対応する方向に変形しにくくなり、かかる帯体部に固定される吸収本体部を、動物の股下部に持続的且つ的確に当接させることができる。
【００７２】
なお、本発明において、第２係合部の寸法形状や厚み等は、上述の第１係合部と係合し得る限り特に制限されず、所望の係合強度や剛性、柔軟性等に応じた任意の寸法形状や厚み等を採用することができる。
【００７３】
（第３係合部）
上述の第１実施形態において、帯体部１の第１領域Ａ１の胴体対向面Ｆ1に配置されるフック部材５（第３係合部）は、平面視にて帯体部１の第２方向Ｄ２に長い略矩形状の外形形状を有していて、帯体部１の胴体非対向面Ｆ２においてフック部材７（第２係合部）よりも第１方向Ｄ１の内方側に位置する胴体非対向面側被係合部と係合し得るように構成されている。本第１実施形態においては、フック部材５（第３係合部）は、上述の第２係合部のフック部材７と同様の構造を有するフック材によって構成されている。
【００７４】
なお、本発明においては、帯体部がこのような第３係合部を備えることは、必須の構成要件ではないものの、帯体部は、上述の第１係合部よりも第１方向の外方側における胴体対向面に、このような第３係合部を備えていることが好ましい。帯体部がこのような第３係合部を備えていると、かかる第３係合部が、帯体部の胴体非対向面において第２係合部よりも第１方向の内方側に位置する胴体非対向面側被係合部と係合することにより、帯体部の第１方向における一方側端部が動物の胴周りに沿うように固定されるため、当該一方側端部が動物の爪や外部の構造物に引っ掛かりにくく、帯体部を動物の胴体に対してより着実に装着することができる。
【００７５】
本発明において、第３係合部を形成し得るフック部材としては、上述の胴体非対向面側被係合部と係合し得るものであれば特に制限されず、例えば、上述の第２係合部と同様のフック部材を用いることができる。
【００７６】
なお、第３係合部が、上述の第２係合部のフック部材と同様に、胴体対向面側へ突出する複数の係合突起を有するフック部材によって形成されていると、かかるフック部材と係合する胴体非対向面側被係合部は、上記フック部材の係合突起を受け入れる係合凹部を有し、係合突起を有していない被係合部材（例えば、ループ部材等）によって形成されるため、当該胴体非対向面側被係合部の剛性が、係合突起を有することによって増大するのを防ぐことができる。これにより、このような帯体部は、当該帯体部の剛性を増大させずに、上述の胴体非対向面側被係合部をより広く確保することができるため、帯体部を動物の最適な位置に、より適切な締め付け力で装着することができる。
【００７７】
なお、本発明において、第３係合部の寸法形状や厚み等は、上述の胴体非対向面側被係合部と係合し得る限り特に制限されず、所望の係合強度や剛性、柔軟性等に応じた任意の寸法形状や厚み等を採用することができる。
【００７８】
（帯体部側係合部）
上述の第１実施形態において、帯体部１の中央領域ＡＣ及び第２領域Ａ２の各々の胴体対向面Ｆ1に配置されるループ部材９（帯体部側係合部）は、平面視にて、それぞれ所定の第１方向長さ及び第２方向長さを有する略矩形状の外形形状を有していて、吸収本体部１０の外表面Ｆ3に配置された腹部側係合部材１７及び背部側係合部材１８（吸収本体部側係合部）と係合し得るように構成されている。
【００７９】
本発明において、帯体部側係合部を形成し得るループ部材としては、吸収本体部における吸収本体部側係合部のフック部材と係合し得る限り特に制限されず、例えば、上述の第１係合部と同様の構造を有するシート状のループ材を用いることができる。
【００８０】
なお、本発明においては、帯体部側係合部は、ループ部材に限定されず、フック部材を用いることもできる。この場合、吸収本体部における吸収本体部側係合部がループ部材によって形成されることになる。しかしながら、帯体部側係合部は、上述の第１実施形態のようにループ部材によって形成されていることが好ましい。帯体部の胴体対向面に配置される帯体部側係合部がこのようなループ部材によって形成されていると、かかるループ部材は、吸収本体部側係合部の係合突起を受け入れる係合凹部（すなわち、ループ部）を有し、係合突起を有していないため、帯体部の装着時に、帯体部の胴体対向面に配置された帯体部側係合部に動物の毛が絡まったり、係合突起によって動物の胴体にチクチクとした刺激を与えたりするのを防ぐことができる。これにより、このような帯体部は、装着時に動物が嫌がりにくく、当該帯体部が適正な位置からズレたり、外れたりするようなことがより生じにくくなる。
【００８１】
また、本発明においては、上述の内側表面材が、吸収本体部の吸収本体部側係合部と係合し得る係合性の柔軟性シート材（例えば、ループ部材等）によって形成されている場合（すなわち、内側表面材の胴体対向面が帯体部側係合部となる場合）は、帯体部は、必ずしも上述のような係合部材を備えていなくてもよい。さらに、上述の第１実施形態においては、ループ部材９（帯体部側係合部）は、帯体部１の中央領域ＡＣ及び第２領域Ａ２の各々の胴体対向面Ｆ1に配置されているが、本発明においては、このような態様に限定されず、後述するように、吸収本体部の吸収本体部側係合部が吸収本体部の長手方向の両端に位置する腹部側端部及び背部側端部のうちの一方の端部に配置されているような場合は、帯体部側係合部は、上記吸収本体部側係合部に対応する帯体部の中央領域及び第２領域のいずれか一方における胴体対向面に配置されていてもよい。
【００８２】
本発明において、帯体部側係合部の寸法形状や厚み等は、吸収本体部における吸収本体部側係合部と係合し得る限り特に制限されず、所望の係合強度や剛性、柔軟性等に応じた任意の寸法形状や厚み等を採用することができる。
【００８３】
［剛性補強部材］
上述の第１実施形態において、帯体部１は、当該帯体部１に所定の剛性（強度）を付与する手段として、帯体部１の外周端縁部において帯体部１の胴体対向面Ｆ1（具体的には、内側表面材２の胴体対向面）から胴体非対向面Ｆ2（具体的には、外側表面材３の胴体非対向面）まで延在するように配置された剛性補強部材８を備えている。
【００８４】
帯体部がこのような剛性補強部材を備えることは、本発明においては必須の構成要件ではないものの、帯体部は、少なくとも第１方向に延在する剛性補強部材を有していることが好ましい。帯体部が、このような第１方向に延在する剛性補強部材を有していると、帯体部の装着時に、動物の動作等によって帯体部の第２方向（すなわち、動物の前後方向に対応する方向）に力が加わったとしても、当該方向と交差する方向（すなわち、帯体部の第１方向）に延在する剛性補強部材によって上述の力に抗することができるため、帯体部が第２方向に変形しにくくなり、かかる帯体部に固定される吸収本体部をより確実に外れにくくすることができる。
【００８５】
また、上述の第１実施形態においては、剛性補強部材８は、１本の帯状部材からなり、図１〜図３に示すように、帯体部１の外周端縁部において、内側表面材２、芯材４及び外側表面材３の積層物を胴体対向面側及び胴体非対向面側の両側から挟むようにして配置されていて、さらに、胴体対向面側の剛性補強部材８、内側表面材２、芯材４、外側表面材３及び胴体非対向面側の剛性補強部材８が、縫合糸８１によって厚さ方向Ｔ’に縫い合わされることにより、一体的に接合されている。なお、剛性補強部材を帯体部の外周端縁部に接合する手段は、特に制限されず、上述の縫合手段のほか、例えば、エンボス加工等の圧搾手段、ホットメルト型接着剤等を用いた接着手段、超音波等を用いた熱融着手段などの任意の接合手段を採用することができる。
【００８６】
本発明において、剛性補強部材として用い得る帯状部材は、一定の剛性（強度）を有する帯状部材であれば特に制限されず、例えば、織布、不織布、樹脂製フィルム及びこれらを２種類以上組み合わせた積層シートなどからなる帯状部材を用いることができる。また、帯状部材は、帯体部を動物の胴体に対してフィットしやすくする点から、その長手方向において伸縮性を有するものが好ましい。このような長手方向に伸縮性を有する帯状部材としては、例えば、ウレタン繊維を織り込んだバイアステープ、ポリウレタン繊維やゴムなどの弾性材が織り込まれた織布、弾性材を含む伸縮性不織布、合成繊維又は天然繊維により編織成されたネット状生地などが挙げられる。なお、上述の第１実施形態においては、剛性補強部材８として、長手方向に伸縮性を有するバイアステープを用いている。
【００８７】
なお、本発明において、剛性補強部材として用い得る帯状部材の寸法形状や厚み等は、上述の剛性補強部材として機能し得る限り特に制限されず、所望の剛性、柔軟性等に応じた任意の寸法形状や厚み等を採用することができる。
【００８８】
上述した各種部材を用いて帯体部を製造する方法は、特に制限されず、例えば、帯体部は、内側表面材や外側表面材、各種係合部材等を、任意の接合手段（例えば、接着手段、縫合手段等）を用いて或いは用いずに積層して積層物を得た後、必要により、当該積層物の外周端縁部に剛性補強部材を任意の接合手段を用いて接合することにより、製造することができる。
【００８９】
＜吸収本体部＞
上述の第１実施形態に係る動物用使い捨ておむつにおいて、吸収本体部１０は、動物用使い捨ておむつ本体によって構成されており、その厚さ方向Ｔにおいて、吸収本体部１０の胴体対向面側に位置する液透過性の表面シート１１と、吸収本体部１０の胴体非対向面側に位置する液不透過性の裏面シート１２と、これら各シートの間に位置し且つ平面視にて吸収本体部１０の幅方向Ｗに延びる長手方向の中央軸線Ｃ’Wを長手方向Ｌに跨いで延在するとともに長手方向Ｌに延びる幅方向の中央軸線Ｃ’Lを幅方向Ｗに跨いで延在するように配置された吸収体１３と、を基本構成として備え、さらに、吸収本体部１０の長手方向Ｌにおける両方の端部（すなわち、腹部側端部ＥL3及び背部側端部ＥL4）の各々の外表面Ｆ3に配置された腹部側係合部材１７及び背部側係合部材１８（吸収本体部側係合部）と、平面視にて吸収体１３及び背部側端部ＥL4の間において幅方向の中央軸線Ｃ’Lと重複する位置に配置された、動物の尻尾を挿通するための尻尾用開口部１９と、表面シート１１の胴体対向面側において幅方向の中央軸線Ｃ’Lを挟んで配置された、一対のサイドシート１４と、当該サイドシート１４の幅方向Ｗの内方側の端部に配置された、長手方向Ｌに延びるギャザー形成用弾性部材１５と、平面視にて吸収体１３を挟むようにして当該吸収体１３に対して幅方向Ｗの外方側に配置された弾性部材１６と、を更に備えている。
【００９０】
［表面シート］
上述の第１実施形態において、吸収本体部１０に用いられる表面シート１１は、図４に示すように、平面視にて吸収本体部１０の長手方向Ｌにおける一方側の腹部側端部ＥＬ３から他方側の背部側端部ＥＬ４に亘って延在するとともに幅方向Ｗにおける一方側端部近傍から他方側端部近傍に亘って延在する、長手方向Ｌに長い縦長の略矩形状の外形形状を有しており、吸収本体部１０の厚さ方向Ｔにおいて胴体対向面側の位置に配置されて、装着対象の動物の身体（特に、股下部）に直に接触し得る液透過性シートによって構成されている。
【００９１】
本発明において、表面シートとして用い得る液透過性シートは、吸収本体部の表面シートとして用い得る所定の液透過性や柔軟性、肌触り等を有するものであれば特に制限されず、不織布等の繊維シートなどを用いることができる。中でも、液透過性や柔軟性、肌触りなどの点から、不織布を用いることが好ましく、かかる不織布としては、特に限定されないが、例えば、スパンレース不織布、エアスルー不織布、スパンボンド不織布、ポイントボンド不織布、メルトブローン不織布、及びこれらの組み合わせ（例えば、ＳＭＳ不織布等）などの不織布を好適に用いることができる。なお、かかる不織布の構造も特に制限されず、当該不織布は、平坦な無孔の不織布のほか、例えば、有孔の不織布、凹凸構造（断面が波形となる凹凸構造や畝溝構造等）を有する不織布なども好適に用いることができる。
【００９２】
また、表面シートとして用い得る不織布の構成繊維も特に制限されず、例えば、セルロース系繊維；オレフィン系樹脂やポリエステル系樹脂等の熱可塑性樹脂繊維などが挙げられ、これらの繊維は単独で使用しても、二種類以上の繊維を併用してもよい。なお、かかる不織布の坪量は、液透過性を阻害しない限り特に制限されず、例えば、６ｇ／ｍ２〜５０／ｍ２の範囲内である。
【００９３】
なお、本発明において、表面シートとして用い得る液透過性シートの寸法形状や厚み等は、かかる液透過性シートが吸収本体部の表面シートとして機能し得るものであれば特に制限されず、所望の液透過性や柔軟性、肌触り、強度等に応じた任意の寸法形状や厚み等を採用することができる。
【００９４】
［裏面シート］
上述の第１実施形態において、吸収本体部１０に用いられる裏面シート１２は、図４に示すように、平面視にて吸収本体部１０の長手方向Ｌにおける一方側の腹部側端部ＥＬ３から他方側の背部側端部ＥＬ４に亘って延在するとともに幅方向Ｗにおける一方側端部から他方側端部に亘って延在する、長手方向Ｌに長い縦長の略矩形状の外形形状を有しており、吸収本体部１０の厚さ方向Ｔにおいて胴体非対向面側の位置に配置されて、装着対象の動物から排出される尿などの排泄物の透過を防ぐように機能する液不透過性シートによって構成されている。
【００９５】
本発明において、裏面シートとして用い得る液不透過性シートは、動物から排出される尿などの排泄物の透過を防ぐように機能し得るものであれば特に制限されず、例えば、疎水性の不織布、ＳＭＳ積層不織布、液不透過性のプラスチック製フィルム、及びこれらのシートを任意の組み合わせた積層シートなどを用いることができる。
【００９６】
なお、本発明において、裏面シートとして用い得る液不透過性シートの寸法形状や厚み等は、かかる液不透過性シートが吸収本体部の裏面シートとして機能し得るものであれば特に制限されず、所望の液不透過性や柔軟性、通気性、強度等に応じた任意の寸法形状や厚み等を採用することができる。
【００９７】
［吸収体］
上述の第１実施形態において、吸収本体部１０に用いられる吸収体１３は、図４に示すように、展開した状態の平面視にて、吸収本体部１０の幅方向Ｗに延びる中央軸線Ｃ’Ｗを前記長手方向Ｌに跨いで延在するとともに前記長手方向Ｌに延びる中央軸線Ｃ’Ｌを前記幅方向Ｗに跨いで延在する、長手方向Ｌに長い縦長の外形形状であって、前記長手方向Ｌの略中央部分が幅方向Ｗの内方側に向かって細く括れた略砂時計形の外形形状を有しており、吸収本体部１０の厚さ方向Ｔにおいて上述の表面シート１１と裏面シート１２との間に配置されて、前記表面シート１１を透過してきた尿などの排泄物を吸収して保持する吸水性部材によって構成されている。
【００９８】
本発明において、吸収体として用い得る吸水性部材は、動物から排出される尿などの排泄物を吸収して保持し得るものであれば特に制限されず、当分野において公知の任意の吸水性部材を用いることができる。そのような吸水性部材の例としては、吸収性材料によって構成される吸収コアを、親水性を有するティッシュ等のコアラップシートで覆ったものなどが挙げられる。また、吸収コアを構成する吸収性材料としては、例えば、親水性繊維や高吸収性ポリマーなどが挙げられ、更に具体的には、フラッフパルプ、コットン等のセルロース繊維；レーヨン、フィブリルレーヨン等の再生セルロース繊維；アセテート、トリアセテート等の半合成セルロース繊維；アクリル酸ナトリウムコポリマー等の高吸収性ポリマーからなる粒状物、及びこれら２種以上の任意の組み合わせなどが挙げられる。
【００９９】
なお、本発明において、吸収体の平面視における外形形状は、上述のような略砂時計形の形状に限定されず、長手方向Ｌの長さ寸法が幅方向Ｗの幅寸法よりも長い長形状のものであれば、各種用途や対象動物の体型等に応じて任意の縦長の形状（例えば、長方形、楕円形など）を採用することができる。また、吸収体として用い得る吸収性部材の外形寸法や厚み、坪量等は、かかる吸収性部材が吸収本体部の吸収体として機能し得るものであれば特に制限されず、所望の吸収性能や柔軟性等に応じた任意の外形寸法や厚み、坪量等を採用することができる。
【０１００】
［サイドシート］
上述の第１実施形態において、吸収本体部１０に用いられる一対のサイドシート１４は、図４に示すように、平面視にて吸収本体部１０の長手方向Ｌにおける一方側の腹部側端部ＥＬ３から他方側の背部側端部ＥＬ４に亘って延在する、長手方向Ｌに長い帯状のシート部材によって構成されており、上述の表面シート１１の胴体対向面側において幅方向の中央軸線Ｃ’Lを挟むようにして吸収本体部１０の幅方向Ｗにおける両端部に配置されている。この一対のサイドシート１４の各々は、幅方向Ｗにおける外方側の端部と長手方向Ｌにおける両端部が、それぞれ表面シート１１の胴体対向面側の表面と接合されていて、幅方向Ｗの外方側の端部が固定端となっている一方、幅方向Ｗの内方側の端部が自由端となっている。
さらに、この一対のサイドシート１４の各々は、幅方向Ｗの内方側の端部が表面シート１１側に向かって折り畳まれ、その折り畳まれた端部に挟み込まれるようにして、長手方向Ｌに延びるギャザー形成用弾性部材１５が配置されている。このギャザー形成用弾性部材１５が収縮することによって、前記一対のサイドシート１４は、装着時に表面シート１１側から立ち上がり、排泄物に対する防漏壁としての立体ギャザーを形成することができる。
【０１０１】
本発明において、上述のサイドシートとして用い得る帯状のシート部材は、立体ギャザーを形成するときに防漏壁として機能し得るものであれば特に制限されず、例えば、撥水性や疎水性を有する不織布などを用いることができる。サイドシートとして用い得る不織布は、特に限定されず、例えば、スパンレース不織布、スパンボンド不織布、サーマルボンド不織布、メルトブローン不織布、エアスルー不織布等の各種不織布が挙げられる。また、かかる不織布の構成繊維も特に限定されず、例えば、ポリオレフィン系繊維、ポリエステル系繊維、ポリアミド系繊維等の合成繊維のほか、レーヨンや綿等のセルロース系繊維などを用いることができる。
なお、ギャザー形成用弾性部材については、後述の弾性部材と同様の材料を用いることができる。
【０１０２】
［弾性部材］
上述の第１本実施形態において、吸収本体部１０に用いられる弾性部材１６は、吸収本体部１０に長手方向Ｌの収縮力を付与するためのものであり、図４に示すように、上述の吸収体１３に対して幅方向Ｗの両外方側にそれぞれ２本ずつ配置されており、少なくとも吸収体１３の長手方向長さよりも長い長手方向長さを有する弾性糸によって構成されている。なお、本発明において、吸収体の幅方向の両外方側にそれぞれ配置される弾性部材の数は、本発明の効果を阻害しない限り特に制限されず、例えば、弾性部材は、吸収体の幅方向の両外方側において、それぞれ１本ずつ配置されていてもよいし、それぞれ３本以上ずつ配置されていてもよい。
【０１０３】
本発明において、吸収本体部に用い得る弾性部材は、展開した状態の吸収本体部に長手方向の収縮力を付与し得るものであれば特に限定されず、例えば、天然ゴムからなる糸ゴムや平ゴム；ウレタン、エチレン−酢酸ビニル共重合体（ＥＶＡ）等の熱可塑性エラストマーを糸状又は帯状に成形したものなどの任意の弾性部材を用いることができる。
【０１０４】
［吸収本体部側係合部］
上述の第１実施形態において、吸収本体部１０に用いられる腹部側係合部材１７及び背部側係合部材１８（吸収本体部側係合部）は、図４に示すように、平面視にて吸収本体部１０の幅方向Ｗの一方側端部から他方側端部に亘って延在する、幅方向Ｗに長い横長の外形形状を有していて、吸収本体部１０の長手方向Ｌにおける両方の端部（すなわち、腹部側端部ＥL3及び背部側端部ＥL4）の各々の外表面Ｆ3に配置されて、帯体部１の前記中央領域ＡＣ及び前記第２領域Ａ２の各々の胴体対向面Ｆ1に配置されたループ部材９（帯体部側係合部材）と係合し得るように構成されている。
【０１０５】
本第１実施形態においては、腹部側係合部材１７及び背部側係合部材１８（吸収本体部側係合部）は、帯体部１における第２係合部のフック部材７や第３係合部のフック部材５と同様の構造を有するフック材によって形成されているが、本発明においては、このような態様のものに限定されず、吸収本体部側係合部は、ループ部材によって形成されていてもよい。吸収本体部側係合部がループ部材によって形成される場合は、上述の帯体部側係合部が、フック部材によって形成されることになる。但し、上述のとおり、帯体部側係合部は、上述の第１実施形態のようにループ部材によって形成されていることが好ましいことから、吸収本体部側係合部は、フック部材によって形成されていることが好ましい。
【０１０６】
本発明において、吸収本体部の吸収本体部側係合部が配置される位置は、上述の第１実施形態の位置に限定されず、例えば、吸収本体部側係合部は、平面視にて、吸収本体部の長手方向の両端に位置する腹部側端部及び背部側端部のうちの一方の端部に配置されていてもよいし、当該端部の幅方向において部分的に配置されていてもよい。なお、吸収本体部側係合部が、平面視にて、前記背部側端部及び前記腹部側端部のうちの一方の端部に配置されている場合、他方の端部は、係合以外の任意の接合手段で、帯体部の胴体対向面における固定部に接合固定されるようにしてもよい。
【０１０７】
また、本発明において、吸収本体部側係合部は、吸収本体部の長手方向の両端に位置する背部側端部及び腹部側端部のうちの少なくとも一方の端部の外表面及び／又は内表面において、前記吸収本体部の長手方向における端縁（すなわち、長手方向末端）を含むように配置されていることが好ましい。吸収本体部側係合部がこのように配置されていると、吸収本体部側係合部を帯体部の胴体対向面に係合固定するときに、吸収本体部の長手方向における端縁まで係合固定することができるため、吸収本体部の長手方向の端縁が捲れたり、当該端縁が動物の爪や外部の構造物に引っ掛かったりして、吸収本体部側係合部と帯体部の胴体対向面との係合が外れるというようなことが、より一層起こりにくくなる。
【０１０８】
なお、本発明の動物用吸収性物品においては、吸収本体部の構成は、上述の第１実施形態のものに限定されず、動物用使い捨ておむつや失禁パッド等の動物用吸収性物品の分野において従来より公知の任意の構成（例えば、裏面シートと吸収体との間にバックフィルム等が配置された構成、吸収体の胴体対向面側及び／又は胴体非対向面側にセカンドシート等が配置された構成など）を採用することができる。
【０１０９】
以下、上述の第１実施形態とは帯体部１の構成（特に、吸収本体部側係合部との係合に関する構成）のみが異なる、本発明の別の実施形態（第２実施形態〜第４実施形態）について、図面を参照しながら説明する。なお、第１実施形態と異なる構成以外の構成は、基本的に上述の第１実施形態と同様であるため、説明を省略する。
【０１１０】
図７は、本発明の第２実施形態に係る動物用使い捨ておむつの帯体部１を、展開した状態で胴体対向面側から厚さ方向に見た平面図であり、図８は、かかる帯体部１を、展開した状態で胴体非対向面側から厚さ方向に見た平面図である。また、図９は、本発明の第２実施形態に係る動物用使い捨ておむつにおいて、帯体部１に吸収本体部１０を係合固定させる様子を説明するための斜視図である。
【０１１１】
本第２実施形態に係る動物用使い捨ておむつの帯体部１は、上述の第１実施形態において、帯体部側係合部として、帯体部１の中央領域ＡＣ及び第２領域Ａ２の各々の胴体対向面Ｆ1に配置されていたループ部材９の代わりに、図７〜図９に示すように、装着時に動物の後方側に位置する前記第２方向Ｄ２の後方側端部ＥＷ２から前記第２方向Ｄ２の前方側端部ＥＷ１に向かって延在し且つ前記第１方向Ｄ１に部分的に延在する第１被覆部２０と、帯体部１の厚さ方向Ｔ’において前記第１被覆部２０と重複するように前記第１方向Ｄ１及び前記第２方向Ｄ２に延在し且つ前記第１被覆部２０の胴体非対向面側に位置する第２被覆部２１と、を有していて、前記第１被覆部２０と前記第２被覆部２１の間の空隙部に、吸収本体部１０の長手方向Ｌにおける腹部側端部ＥL3及び背部側端部ＥL4を収容し得るように構成されている。
【０１１２】
さらに、本第２実施形態においては、帯体部１は、第１被覆部２０の胴体非対向面に帯体部側係合部（不図示）を備えていて、当該帯体部側係合部が後述する吸収本体部１０の腹部側係合部材１７及び背部側係合部材１８（吸収本体部側係合部）と係合し得るように構成されている。
なお、本第２実施形態においては、帯体部側係合部は、第１被覆部２０が上述の外側表面材と同様の被係合性シート材によって構成されていることで、前記第１被覆部２０の胴体非対向面の全体に形成されているが、本発明においては、このような態様に限定されず、例えば、帯体部側係合部は、第１被覆部の胴体非対向面上にループ部材を配置することによって形成されていてもよい。
【０１１３】
一方、本第２実施形態に係る動物用使い捨ておむつの吸収本体部１０は、上述の第１実施形態において吸収本体部１０の長手方向Ｌにおける両方の端部（すなわち、腹部側端部ＥL3及び背部側端部ＥL4）の各々の外表面Ｆ3に配置されていた腹部側係合部材１７及び背部側係合部材１８（吸収本体部側係合部）が、吸収本体部１０の長手方向Ｌにおける腹部側端部ＥL3及び背部側端部ＥL4の各々の胴体対向面側の表面（すなわち、内表面Ｆ４）に配置されていて、上述の帯体部１の第１被覆部２０における帯体部側係合部と係合し得るように構成されている。
【０１１４】
このように構成された本第２実施形態に係る動物用使い捨ておむつは、図９に示すように、吸収本体部１０の長手方向Ｌにおける腹部側端部ＥL3及び背部側端部ＥL4が、動物の前後方向における後方側から帯体部１の内部（すなわち、第１被覆部２０と第２被覆部の間の空隙部）に挿入され、上記腹部側端部ＥL3及び背部側端部ＥL4の各々の内表面Ｆ４に配置された腹部側係合部材１７及び背部側係合部材１８（吸収本体部側係合部）が前記帯体部１の前記内部の表面（すなわち、第１被覆部２０の胴体非対向面）における帯体部側係合部と係合することにより、吸収本体部１０が帯体部１に対して着脱自在に係合固定される。
【０１１５】
本第２実施形態に係る動物用使い捨ておむつは、帯体部１が上記第１被覆部２０の胴体非対向面側の表面に、吸収本体部１０の腹部側係合部材１７及び背部側係合部材１８（吸収本体部側係合部）と係合する帯体部側係合部を備えていて、吸収本体部側係合部と帯体部側係合部との係合箇所が上述の第１被覆部２０及び第２被覆部２１で覆われる、すなわち、帯体部１の胴体対向面側の表面及び胴体非対向面側の表面に露出しないため、吸収本体部１０の幅方向Ｗにおける端部が動物の爪や外部の構造物に引っ掛かりにくいことに加えて、吸収本体部１０の長手方向Ｌにおける腹部側端部ＥL3及び背部側端部ＥL4が動物の胴体と接触しにくく（すなわち、動物の胴体と擦れて捲れたり、外れたりしにくく）、当該吸収本体部１０を、帯体部１に対してより着実に係合固定させることができる。
【０１１６】
第２実施形態において、第１被覆部２０は、所定の第１方向長さ及び第２方向長さを有する略矩形状の被係合性シート材によって構成されており、当該被係合性シート材は、帯体部１の中央領域ＡＣ及び第２領域Ａ２の各々の胴体対向面Ｆ1（より具体的には、内側表面材２の胴体対向面）に、縫合や接着剤等の任意の接合手段を用いて接合されている。なお、被係合性シート材と内側表面材は、被係合性シート材の外周端縁部のうち第２方向Ｄ２の後方側の端部に対応する端縁部以外の端縁部において接合されており、吸収本体部１０の腹部側端部ＥL3及び背部側端部ＥL4が上述の第２方向Ｄ２の後方側の端部に対応する端縁部を介して、被係合性シート材と内側表面材との間の空隙部に挿入し得るように構成されている。
【０１１７】
一方、第２被覆部２１は、上述の第１被覆部２０と対向する帯体部１の所定部分（すなわち、第１被覆部２０と厚さ方向Ｔ’に重複する部分）によって構成されているため、当該第２被覆部２１は、帯体部１の厚さ方向Ｔ’において前記第１被覆部２０と重複する所定の第１方向長さ及び第２方向長さを有し、前記第１被覆部２０の胴体非対向面側に位置している。したがって、第２被覆部２１の胴体対向面側の表面は、帯体部１の内側表面材２の胴体対向面によって形成されている。
なお、本発明においては、第２被覆部が任意のシート材によって構成され、第１被覆部が前記第２被覆部と厚さ方向に重複する帯体部の所定部分によって構成されていてもよい。この場合、帯体部側係合部は、第１被覆部の胴体非対向面側の表面（すなわち、外側表面材の胴体非対向面）及び第２被覆部の胴体対向面側の表面（すなわち、前記シート材の胴体対向面）の少なくとも一方の表面に形成される。
【０１１８】
ここで、図１０（ａ）は、本発明の第２実施形態において、吸収本体部１０の吸収本体部側係合部の一つである背部側係合部材１８が、帯体部１の第１被覆部２０の胴体非対向面側の表面における帯体部側係合部と係合する様子を示す部分断面図である。
本第２実施形態に係る動物用使い捨ておむつにおいては、上述のとおり、帯体部１は、第１被覆部２０の胴体非対向面側の表面に帯体部側係合部を備えている一方、吸収本体部１０は、腹部側端部ＥL3及び背部側端部ＥL4の各々の内表面Ｆ４に、腹部側係合部材１７及び背部側係合部材１８（吸収本体部側係合部）を備えており、吸収本体部１０の吸収本体部側係合部が、帯体部１の第１被覆部２０の胴体非対向面側の表面の前記帯体部側係合部と係合するように構成されている。
このように構成された第２実施形態に係る動物用使い捨ておむつは、図１０（ａ）に示すように、吸収本体部側係合部と帯体部側係合部の係合箇所が、上述の第２被覆部２１によって覆われて帯体部１の胴体非対向面側の表面に露出しないため、吸収本体部１０の長手方向Ｌにおける端部（すなわち、腹部側端部ＥL3及び背部側端部ＥL4）が、動物の爪や外部の構造物に引っ掛かりにくく、当該吸収本体部１０を、帯体部１に対してより着実に係合固定させることができる。さらに、帯体部１の第２被覆部２１は、吸収本体部１０の外表面Ｆ３と係合せず、捲ることが可能であるため、上述の吸収本体部側係合部と帯体部側係合部を係合させた後に、かかる第２被覆部２１を捲りあげて、上述の係合部同士の係合を解除しつつ、吸収本体部１０の取り付け位置や締め付け力を調節することができる。これにより、上述の第２実施形態に係る動物用使い捨ておむつは、吸収本体部１０を、帯体部１に対してより的確に係合固定させることができる。
【０１１９】
また、図７及び図８に示すように、本第２実施形態においては、帯体部１の第１被覆部２０及び第２被覆部２１は、第２方向Ｄ２の長さが帯体部の第２方向Ｄ２の全長よりも短くなるように構成されている。このように構成された第２実施形態に係る動物用使い捨ておむつは、帯体部１の第１被覆部２０及び第２被覆部２１が帯体部１の第２方向Ｄ２（すなわち、装着時における動物の前後方向）における前方側端部ＥＷ１まで延在していないため、吸収本体部１０を帯体部１に係合固定したときに、当該吸収本体部１０の長手方向Ｌにおける端部（すなわち、腹部側端部ＥL3及び背部側端部ＥL4）が帯体部１の前記第２方向Ｄ２における前方側端部ＥＷ１から露出しにくく（すなわち、吸収本体部１０の長手方向Ｌにおける端部が、動物の爪や外部の構造物に引っ掛かりにくく）、上述の吸収本体部側係合部と帯体部側係合部の係合を、より確実に維持することができる。
【０１２０】
さらに、本第２実施形態においては、帯体部１の第１被覆部２０及び第２被覆部２１は、図７及び図８に示すように、所定の第１方向Ｄ１長さを有し、当該帯体部１の第１方向Ｄ１において部分的に延在するように配置されている。帯体部１の第１被覆部２０及び第２被覆部２１がこのように配置されていると、装着時に第１被覆部２０及び第２被覆部２１が捲れにくく、仮に捲れたとしても、元の状態に戻りやすくなるため、かかる構成を備えた本第２実施形態に係る動物用使い捨ておむつは、上述の吸収本体部側係合部と帯体部側係合部の係合を更に確実に維持することができる。
【０１２１】
なお、本第２実施形態においては、吸収本体部１０の吸収本体部側係合部が、帯体部１の第１被覆部２０の胴体非対向面側の表面の前記帯体部側係合部と係合するように構成されているが、本発明において、吸収本体部側係合部と帯体部側係合部の係合形態は、特に限定されず、例えば、吸収本体部の吸収本体部側係合部が、帯体部の第２被覆部の胴体対向面側の表面の帯体部側係合部と係合するように構成されていても、帯体部の第１被覆部の胴体対向面側の表面の帯体部側係合部と第２被覆部の胴体対向面側の表面の帯体部側係合部の両方の帯体部側係合部と係合するように構成されていてもよい。
【０１２２】
ここで、図１０（ｂ）は、本発明の第２実施形態の変形例に係る動物用使い捨ておむつにおいて、吸収本体部１０の背部側係合部材１８が、帯体部１の第２被覆部２１の胴体対向面側の表面における帯体部側係合部と係合する様子を示す部分断面図である。
この第２実施形態の変形例においては、帯体部１は、第２被覆部２１の胴体対向面側の表面に帯体部側係合部を備えている一方、吸収本体部１０は、腹部側端部ＥL3及び背部側端部ＥL4の各々の外表面Ｆ３に、腹部側係合部材１７及び背部側係合部材１８（吸収本体部側係合部）を備えており、吸収本体部１０の吸収本体部側係合部が、帯体部１の第２被覆部２１の胴体対向面側の表面の前記帯体部側係合部と係合するように構成されている。
このように本第２実施形態の変形例に係る動物用使い捨ておむつは、吸収本体部１０の吸収本体部側係合部が帯体部１の第２被覆部２１の胴体対向面側の表面の帯体部側係合部と係合するように構成されていて、第１被覆部２０の胴体非対向面側の表面とは係合しないため、上述の吸収本体部側係合部と帯体部側係合部の係合箇所が動物の胴体Ｂの動きの影響を受けにくく、上述の吸収本体部側係合部と帯体部側係合部の係合を、より着実に維持することができる。
【０１２３】
また、本発明の第２実施形態の別の変形例においては、帯体部１は、第１被覆部２０の胴体非対向面側の表面及び第２被覆部２１の胴体対向面側の表面の各々に、帯体部側係合部を備えている一方、吸収本体部１０は、腹部側端部ＥL3及び背部側端部ＥL4の各々において内表面Ｆ４及び外表面Ｆ３の両方の面に、吸収本体部側係合部を備えており、吸収本体部１０の腹部側端部ＥL3及び背部側端部ＥL4の各々の内表面Ｆ４に配置された吸収本体部側係合部及び吸収本体部１０の腹部側端部ＥL3及び背部側端部ＥL4の各々の外表面Ｆ３に配置された吸収本体部側係合部が、それぞれ帯体部１の第１被覆部２０の胴体非対向面側の表面の帯体部側係合部及び第２被覆部２１の胴体対向面側の表面の帯体部側係合部と係合するように構成されている。
このように構成された第２実施形態の別の変形例に係る動物用使い捨ておむつは、吸収本体部１０の腹部側端部ＥL3及び背部側端部ＥL4が、内表面Ｆ４及び外表面Ｆ３の両面において、帯体部１の帯体部側係合部に係合固定されるため、当該吸収本体部１０を、帯体部１に対してより強固に係合固定させることができる。
【０１２４】
また、上述の第２実施形態においては、帯体部１の第１被覆部２０及び第２被覆部２１は、第１方向Ｄ１において部分的に形成されているが、本発明において、第１被覆部及び第２被覆部の配置形態等は特に制限されず、第１被覆部及び第２被覆部は、第１方向Ｄ１において一方側端部から他方側端部に亘って連続的に形成されていてもよい。
ここで、図１１は、本発明の第２実施形態の更に別の変形例に係る動物用使い捨ておむつの帯体部１の斜視図である。
この第２実施形態の更に別の変形例においては、第１被覆部２０及び第２被覆部２１は、第１方向Ｄ１において連続的に延在している。帯体部１の第１被覆部２０及び第２被覆部２１が前記第１方向Ｄ１（動物の胴周り方向）において連続的に延在していると、吸収本体部１０を帯体部１の第１方向Ｄ１における所望の箇所に係合固定させることができる（すなわち、吸収本体部１０を帯体部１に係合固定する際の胴周り方向の調整幅を大きく確保することができる）ため、当該吸収本体部１０を、動物の体形等に応じて帯体部１の適正な位置に係合固定させることができる。これにより、かかる構成を備えた動物用吸収性物品は、上述の吸収本体部を帯体部に対して更に的確に係合固定させることができる。
【０１２５】
以下、上述の第２実施形態とは帯体部の第１被覆部２０及び第２被覆部２１の構成が異なる、本発明の第３実施形態について、図面を参照しながら詳細に説明する。なお、上述の各実施形態と異なる構成以外の構成は、基本的に上述の各実施形態と同様であるため、説明を省略する。
【０１２６】
図１２は、本発明の第３実施形態に係る動物用使い捨ておむつの帯体部１の態様を示す模式図である。
本第３実施形態においては、帯体部１は、図１２に示すように、展開した状態の平面視にて、ループ部材６（第１係合部）が帯体部１の第１領域Ａ１において第１方向Ｄ１に延びる第２方向Ｄ２の中央軸線ＣＬよりも第２方向の一方側の領域の胴体非対向面Ｆ２に配置されているとともに、フック部材７（第２係合部）が帯体部１の第２領域Ａ２において前記第２方向Ｄ２の中央軸線ＣＬよりも第２方向の他方側の領域の胴体非対向面Ｆ２に配置されている。
【０１２７】
そして、かかる帯体部１は、図１２に示すように、第１方向Ｄ１に延びる第２方向Ｄ２の中央軸線ＣＬを折り軸として第２方向Ｄ２に折り畳まれた後、上述の第１実施形態と同様にして、動物の胴体に巻き付けられ、動物の背部において、帯体部１の第１領域Ａ１が、第２領域Ａ２の上に重ねられ、前記第１領域Ａ１に配置されたループ部材６（第１係合部）が、前記第２領域Ａ２に配置されたフック部材７（第２係合部）に係合固定される。なお、折り畳まれた帯体部１が動物の胴体に巻き付けられる際は、折り軸の第２方向Ｄ２の中央軸線ＣＬが動物の前方側となるように、動物の胴体に巻き付けられる。
このようにして、本第３実施形態における帯体部１は、図１２に示すように、第２方向Ｄ２の中央軸線ＣＬに対して第２方向Ｄ２の一方側の領域によって形成される第１被覆部２０と、第２方向Ｄ２の中央軸線ＣＬに対して第２方向Ｄ２の他方側の領域によって形成される第２被覆部２１とを、装着時に備えている。なお、本第３実施形態においては、第１被覆部２０の胴体非対向面側の表面及び第２被覆部２１の胴体対向面側の表面の少なくとも一方の表面に、帯体部側係合部（不図示）を備えている。
【０１２８】
本第３実施形態においては、第１被覆部２０及び第２被覆部２１が、第１方向Ｄ１（動物の胴周り方向）において連続的に延在するように形成されるため、吸収本体部１０を帯体部１の第１方向Ｄ１における所望の箇所に係合固定させることができ（すなわち、吸収本体部１０を帯体部１に係合固定する際の胴周り方向の調整幅を大きく確保することができ）、当該吸収本体部１０を、動物の体形等に応じて帯体部１の適正な位置に係合固定させることができる。さらに、本第３実施形態においては、上述の折り畳まれた帯体部１は、折り軸の第２方向Ｄ２の中央軸線ＣＬが動物の前方側となるように、動物の胴体に巻き付けられるため、吸収本体部１０をこの折り畳まれた帯体部１に係合固定したときに、当該吸収本体部１０の長手方向Ｌにおける端部（すなわち、腹部側端部ＥL3及び背部側端部ＥL4）が帯体部１の第２方向Ｄ２（すなわち、動物の前後方向）おける前方側から露出せず（すなわち、吸収本体部１０の長手方向Ｌにおける端部が、動物の爪や外部の構造物に引っ掛からず）、上述の吸収本体部側係合部と帯体部側係合部の係合を、より確実に維持することができる。
【０１２９】
次に、上述の第２実施形態及び第３実施形態とは帯体部の第１被覆部２０及び第２被覆部２１の構成が異なる、本発明の第４実施形態について、図面を参照しながら詳細に説明する。なお、上述の各実施形態と異なる構成以外の構成は、基本的に上述の各実施形態と同様であるため、説明を省略する。
【０１３０】
図１３は、本発明の第４実施形態に係る動物用使い捨ておむつの帯体部１の斜視図である。
本第４実施形態においては、帯体部１は、第１方向Ｄ１の長さが上述の各実施形態の帯体部１の第１方向Ｄ１の長さよりも２倍以上長くなるように（すなわち、動物の胴体を２周以上巻き付けられるように）構成されている。かかる帯体部１は、図１３に示すように、第１方向Ｄ１に２回以上巻かれた筒状の状態で、動物の胴体に巻き付けられる。
このようにして、本第４実施形態における帯体部１は、図１３に示すように、第１方向Ｄ１に２回以上巻かれた多重構造の筒状の状態における、最も胴体対向面側に位置する１回巻き部分によって形成される第１被覆部２０と、当該第１被覆部２０と胴体非対向面側に隣接する２回巻き部分によって形成される第２被覆部２１とを、装着時に備えている。なお、本第４実施形態においても、第１被覆部２０の胴体非対向面側の表面及び第２被覆部２１の胴体対向面側の表面の少なくとも一方の表面に、帯体部側係合部（不図示）を備えている。
【０１３１】
本第４実施形態においては、第１被覆部２０及び第２被覆部２１が、第１方向Ｄ１（動物の胴周り方向）において連続的に延在するように形成されるため、吸収本体部１０を帯体部１の第１方向Ｄ１における所望の箇所に係合固定させることができ（すなわち、吸収本体部１０を帯体部１に係合固定する際の胴周り方向の調整幅を大きく確保することができ）、当該吸収本体部１０を、動物の体形等に応じて帯体部１の適正な位置に係合固定させることができる。また、かかる帯体部１は、動物の胴周りに沿って連続的に２回以上巻き付けられるため、巻き付け具合の緩締による動物の胴周りサイズの調整幅を大きく確保することができる。
さらに、本第４実施形態においては、第１被覆部２０及び第２被覆部２１が、第２方向Ｄ２（動物の前後方向）において連続的に延在するように形成されるため、帯体部１に吸収本体部１０を係合固定する際の動物の前後方向の調整幅を大きく確保することができ、当該吸収本体部１０をより精度よく着実に動物の股下部に当接させることができる。
【０１３２】
なお、本第４実施形態において、帯体部１の巻かれる回数は特に制限されず、帯体部１は、第１方向Ｄ１に３回以上巻かれていてもよい。
【０１３３】
また、本第４実施形態においては、第１方向Ｄ１の長さが上述の各実施形態の帯体部１の第１方向Ｄ１の長さよりも２倍以上長い（すなわち、動物の胴体を２周以上巻き付けられる）帯体部１を用いて、第１方向Ｄ１に２回以上巻かれた多重構造の筒状の状態を形成しているが、かかる多重構造の筒状の状態を形成する手段は、このような態様に限定されず、例えば、帯体部は、上述の第４実施形態の変形例として、第１方向の長さが上述の各実施形態の帯体部の第１方向の長さと同程度である２枚の帯状部材によって構成することもできる。この場合、上述の２枚の帯状部材は、係合等の任意の結合手段により面同士が互いに結合できるように構成されるが、第２方向の後方側端部が少なくとも部分的に結合できないように構成することで、装着時に、一方の帯状部材により構成される第１被覆部と、他方の帯状部材により構成される第２被覆部とを形成することができる。
【０１３４】
この第４実施形態の変形例においても、第１被覆部２０及び第２被覆部２１が、第１方向Ｄ１（動物の胴周り方向）において連続的に延在するように形成されるため、吸収本体部１０を帯体部１の第１方向Ｄ１における所望の箇所に係合固定させることができ（すなわち、吸収本体部１０を帯体部１に係合固定する際の胴周り方向の調整幅を大きく確保することができ）、当該吸収本体部１０を、動物の体形等に応じて帯体部１の適正な位置に係合固定させることができる。さらに、この第４実施形態の変形例においても、第１被覆部２０及び第２被覆部２１が、第２方向Ｄ２（動物の前後方向）において連続的に延在するように形成されるため、帯体部１に吸収本体部１０を係合固定する際の動物の前後方向の調整幅を大きく確保することができ、当該吸収本体部１０をより精度よく着実に動物の股下部に当接させることができる。
また、本第４実施形態の変形例においては、第１方向の長さを極力小さくすることができるので、装着時の取り扱いやすさや洗濯容易性等にも優れている。
【０１３５】
本発明は、上述した各実施形態の動物用使い捨ておむつのほかに、例えば、動物用（軽）失禁パッド等の様々な動物用吸収性物品に適用することができる。また、本発明の動物用吸収性物品は、上述した各実施形態やその変形例に制限されることなく、本発明の目的、趣旨を逸脱しない範囲内において、適宜組み合わせや変更等が可能である。なお、本明細書において、「第１」、「第２」等の序数は、当該序数が付された事項を区別するためのものであり、各事項の順序や優先度、重要度等を意味するものではない。
【符号の説明】
【０１３６】
１    帯体部
２    内側表面材
３    外側表面材
４    芯材
５    フック部材（第３係合部）
６    ループ部材（第１係合部）
７    フック部材（第２係合部）
８    剛性補強部材
９    ループ部材（帯体部側係合部材）
１０    吸収本体部（使い捨ておむつ本体）
１１    表面シート
１２    裏面シート
１３    吸収体
１４    サイドシート
１５    ギャザー形成用弾性部材
１６    弾性部材
１７    腹部側係合部材（吸収本体部側係合部）
１８    背部側係合部材（吸収本体部側係合部）
【図１】
2018088855.tif 000003
【図２】
2018088855.tif 000004
【図３】
2018088855.tif 000005
【図４】
2018088855.tif 000006
【図５】
2018088855.tif 000007
【図６】
2018088855.tif 000008
【図７】
2018088855.tif 000009
【図８】
2018088855.tif 000010
【図９】
2018088855.tif 000011
【図１０】
2018088855.tif 000012
【図１１】
2018088855.tif 000013
【図１２】
2018088855.tif 000014
【図１３】
2018088855.tif 000015